(57)【要約】【課題】複数回に亘る遊技の結果を反映する情報の出力が可能な遊技機を提供する。【解決手段】携帯電話機２００から遊技開始時に赤外線信号として送信された開始データが赤外線受光部３４にて受光されると、開始データに図柄変動の発生回数が累積加算され、その累積加算結果に基づいて遊技情報を作成し、赤外線発光部３３より送信する。よって、遊技者は、複数回に亘る遊技の結果を反映する遊技情報を、携帯電話機２００の赤外線受光部２０８において受信することができる。【選択図】        図３
2004275617.tif 000002
【特許請求の範囲】
【請求項１】
遊技者に提供するための情報を出力可能な遊技機であって、
遊技開始時に外部から開始情報を入力させるための開始情報入力手段と、
遊技状況に応じて前記開始情報に所定の情報を累積加算する累積加算手段と、
その累積加算手段による累積加算結果に基づいて情報出力する情報出力手段と、
を備えたことを特徴とする遊技機。
【発明の詳細な説明】
【０００１】
【発明の属する技術分野】
本発明は、パチンコ機やスロットマシン等の遊技機に関する。
【０００２】
【従来の技術】
パチンコ機などの遊技機では、遊技機の状態に変化が生じると、その遊技機の状態が変化したことが遊技者に報知される。例えば、パチンコ機では、遊技者が多数個の賞球を獲得可能な大当たり遊技状態に突入したときに、その旨が遊技者に報知される。遊技状態の変化は、遊技機の前面に配置されたランプを点灯させたり、ＬＣＤディスプレイの表示を変化させたり、スピーカから所定の報知音を出力させたりすることにより報知されるのが一般的である。しかし、遊技機の状態が変化したことの報知は従来から提供されている多くの遊技機で行われているため、上述のような一般的な報知方法に遊技者が飽きてきているのが現状である。
【０００３】
このような状況に鑑みて、従来、遊技状態の変化が携帯通信端末を呼び出すことにより報知される旨の技術が提案されている（例えば、特許文献１参照。）。この従来技術のシステムにおける作用の概略は以下の通りである。すなわち、遊技者によって遊技機のスタートレバーが操作されると、そのスタートレバーの操作に応答して内部抽選が行われる。この内部抽選で特別入賞が当選すると、遊技機内に設けられた特別入賞フラグに「１」がセットされる。また、この内部抽選において、特別入賞にかかる図柄配列が有効ライン上に並ぶ前に特別入賞が当選したことを報知するか否かが決定される。報知を行うことが決定されると、遊技機からホール管理コンピュータに報知要求信号が送信される。報知要求信号をホール管理コンピュータが受信すると、ホール管理コンピュータは、報知要求信号を送信した遊技機の台番号と対応づけて記憶している携帯電話機の呼出電話番号を読み出し、その読み出した呼出電話番号により特定される携帯電話機を呼び出す。そして、このような報知態様は、遊技機の前面に配置されたランプを点灯させたり、スピーカから所定の報知音を出力させたりするという従来の報知態様とは異なる斬新なものであり、従来の報知態様に飽きがきている遊技者を満足させることができるという効果を奏する。
【０００４】
一方、遊技機に隣接して設けられた台間装置に、携帯電話機の接続端子と係合可能な接続端子を有する携帯電話ホルダを設け、有価価値の購入に費やした金額に応じて獲得されたポイント数が変化するたびに携帯電話ホルダにセットされた携帯電話機のメモリに、接続端子を介してポイント数データを書き込むようにする旨の従来技術が提案されている（例えば、特許文献２参照。）。そして、この従来技術では、ポイント数に応じて遊技機の表示装置に表示されるアニメーションが変更されるため、遊技機におけるゲームに対する興味心を遊技者に持たせ続けることができるという効果を奏する。
【０００５】
【特許文献１】
特開２００２−１１９６４２号公報
【特許文献２】
特開２００２−２００２８３号公報
【０００６】
【発明が解決しようとする課題】
しかしながら、特許文献１に記載された従来技術は、単に、ランプの点灯等に代えて、携帯通信端末を介して遊技状態の変化を報知するという新規な報知方法を提供するに留まるものであり、携帯通信端末によって受信された遊技状態に関する情報を積極的に活用することはできなかった。すなわち、例えば、携帯通信端末によって受信された遊技状態に関する情報を、多数の遊技者間で遊技成績を競うランキングへの参加や、遊技結果に応じたサービスポイントの獲得等への利用等は全く想定されておらず、また、携帯通信端末によって受信される情報に複数回に亘る遊技の結果が反映されないため、携帯通信端末にて受信した情報の十分な活用を図ることができず、従って、遊技者の遊技意欲を向上させて、他の遊技ホール又は他の遊技機メーカとの差別化、集客、遊技時間の拡大等に結びつけることができないという問題がある。
【０００７】
一方、特許文献２に記載された従来技術では、台間装置とは別体で携帯電話ホルダを設ける必要があり、更に、携帯電話機側の接続端子は規格が統一されておらず、複数機種の携帯電話機に対応するためには複数のタイプの携帯電話機ホルダを設ける必要もあり、設置スペースを要すると共に、コストが高くなるという問題がある。更に、遊技者が遊技を行っている間中、携帯電話ホルダに携帯電話機をセットしておく必要があるため、遊技中は携帯電話機を使用できないという問題があると共に、携帯電話機の置き忘れが発生し易いという問題がある。また、接続端子を介して携帯電話機から不正に情報が読み取られるおそれや、いわゆるコンピュータウィルスが携帯電話機に侵入するおそれがある等、セキュリティの確保が困難であるという問題もある。
【０００８】
さらに、上記従来技術の台間装置は、単に有価価値の購入に費やした金額に応じてポイント数データを与えるものであって、遊技者に与えられるポイント数に偶然性が全く存在しないため、遊技者における期待感を増大させて遊技意欲をより一層向上させることができないという問題がある。また、携帯通信端末によって受信される情報に複数回に亘る遊技の結果が反映されないため、遊技者の遊技店への再来店を促す効果が少ないという問題がある。
【０００９】
本発明は、かかる課題に鑑みてなされたものであり、その目的は、複数回に亘る遊技の結果を反映する情報の出力が可能な遊技機を提供することである。
【００１０】
【課題を解決するための手段】
以下、上記目的等を解決するのに適した各手段につき、必要に応じて作用効果等を付記しつつ説明する。
【００１１】
１．遊技者に提供するための情報を出力可能な遊技機であって、
遊技開始時に外部から開始情報を入力させるための開始情報入力手段と、
遊技状況に応じて前記開始情報に所定の情報を累積加算する累積加算手段と、
その累積加算手段による累積加算結果に基づいて情報出力する情報出力手段と、
を備えたことを特徴とする遊技機。
手段１によれば、開始情報入力手段が、遊技開始時に外部から開始情報を入力させ、累積加算手段が、遊技状況に応じて前記開始情報に所定の情報を累積加算し、情報出力手段が、その累積加算手段による累積加算結果に基づいて情報出力するので、遊技者は、複数回に亘る遊技の結果を反映する出力情報を、携帯通信端末等を用いて取得することができる。
【００１２】
２．前記開始情報入力手段は、携帯通信端末から出力される信号を受信することにより前記開始情報を入力することを特徴とする手段１に記載の遊技機。
手段２によれば、前記開始情報入力手段が、携帯通信端末から出力される信号を受信することにより前記開始情報を入力するので、携帯通信端末を用いて簡単且つ確実に開始情報を入力することができる。
【００１３】
３．前記開始情報入力手段は、携帯通信端末から無線通信による信号を受信可能であることを特徴とする手段２に記載の遊技機。
手段３によれば、前記開始情報入力手段が、携帯通信端末から無線通信によって信号を受信可能であるので、携帯通信端末との間で通信ケーブルの接続等の煩雑な作業を行う必要がなく、携帯通信端末を用いて極めて簡単に開始情報を入力することができる。
【００１４】
４．前記開始情報入力手段は、電磁波或いは光による信号を受信可能であることを特徴とする手段３に記載の遊技機。
手段４によれば、前記開始情報入力手段は、電磁波或いは光による信号を受信することにより、開始情報を確実に入力することができる。
【００１５】
５．前記開始情報入力手段は、赤外線信号を受信可能であることを特徴とする手段４に記載の遊技機。
手段５によれば、前記開始情報入力手段は、赤外線信号を受信することにより、簡単な構成で開始情報を確実に入力することができる。
【００１６】
６．前記開始情報入力手段は、携帯通信端末から有線通信による信号を受信可能であることを特徴とする手段２に記載の遊技機。
手段６によれば、開始情報入力手段が携帯通信端末から有線通信によって信号を受信可能であるので、開始情報入力手段を簡単且つ安価に構成することができるとともに、高い信頼性で開始情報を確実に遊技機に入力することができる。
【００１７】
７．前記開始情報入力手段は、機械読み取り可能なシンボルを読み取ることにより前記開始情報を入力することを特徴とする手段１に記載の遊技機。
手段７によれば、携帯通信端末の表示部等に表示された開始情報の内容を表す機械読み取り可能なシンボルを読み取ることにより、簡単且つ確実に開始情報の入力を行うことができる。
【００１８】
８．前記開始情報入力手段は、一次元若しくは二次元のバーコードを読み取り可能であることを特徴とする手段７に記載の遊技機。
手段８によれば、携帯通信端末の表示部等に表示された開始情報の内容を表す一次元若しくは二次元のバーコードを読み取ることにより、簡単且つ確実に開始情報の入力を行うことができる。
【００１９】
９．前記開始情報入力手段は、文字等の並びを読み取り可能であることを特徴とする手段８に記載の遊技機。
手段９によれば、携帯通信端末の表示部等に表示された開始情報の内容を表す文字等の並びを読み取ることにより、簡単且つ確実に開始情報の入力を行うことができる。尚、文字等には、英字、カタカナ、ひらがな、漢字、記号、数字等が含まれる。
【００２０】
１０．前記開始情報入力手段は、遊技機に対応づけられた外部装置からの出力情報を入力するためのインタフェース手段を介して、前記開始情報を入力することを特徴とする手段１に記載の遊技機。
手段１０によれば、前記開始情報入力手段は、遊技機に対応づけられた外部装置（例えば、遊技媒体の貸し出しに関する機能を有する台間装置や台間情報端末等）からの出力情報を入力するためのインタフェース手段を介して、前記開始情報を確実に入力することができる。例えば、カードリーダ付きの台間装置において会員カードとしてのＩＣカードから読み取った開始情報を、インタフェース手段を介して入力するように構成してもよい。
【００２１】
１１．前記開始情報入力手段によって入力された開始情報を報知する開始情報報知手段、を備えたことを特徴とする手段１乃至１０のいずれかに記載の遊技機。
手段１１によれば、開始情報報知手段が、入力された開始情報を報知するので、遊技者は、開始情報の入力内容を確実に認識することができる。
【００２２】
１２．前記開始情報報知手段は、文字表示、光、音声、携帯通信端末への情報送信のいずれか若しくはこれらの任意の組合わせにより報知を行うことを特徴とする手段１１に記載の遊技機。
手段１２によれば、文字表示、光、音声、携帯通信端末への情報送信のいずれか若しくはこれらの任意の組合わせにより開始情報が確実に報知される。
【００２３】
１３．前記開始情報入力手段は、遊技開始時における遊技の進行度合いを表す開始情報を入力させ、
前記累積加算手段は、遊技の進行に伴って新たに付与されるデータを前記開始情報に累積加算し、
前記情報出力手段は、前記累積加算結果に基づいて現在の遊技進行度合いを表す遊技進行データを出力することを特徴とする手段１乃至１２のいずれかに記載の遊技機。
手段１３によれば、前記開始情報入力手段が、遊技開始時における遊技の進行度合いを表す開始情報を入力させ、前記累積加算手段が、遊技の進行に伴って新たに付与されるデータを前記開始情報に累積加算し、前記情報出力手段が、前記累積加算結果に基づいて現在の遊技進行度合いを表す遊技進行データを出力するので、遊技者は携帯通信端末等を用いて遊技進行データを取得することにより、複数回に亘る遊技において連続した遊技進行状況を管理することができる。
【００２４】
１４．前記開始情報は、前回の遊技終了時における遊技進行データであることを特徴とする手段１３に記載の遊技機。
手段１４によれば、前記開始情報が前回の遊技終了時に携帯通信端末等によって取得された遊技進行データであるので、前回の遊技終了時の遊技進行状況に今回の遊技の進行度合いが加算されることにより、複数回に亘る遊技において連続性を有する遊技進行データが算出される。
【００２５】
１５．前記開始情報入力手段は、前記開始情報と共に個々の遊技機若しくは機種を識別可能な遊技機識別情報を入力させ、
前記開始情報入力手段によって入力された遊技機識別情報が当該遊技機の遊技機識別情報と一致する場合に、前記開始情報を用いて前記遊技進行データの算出を行うことを特徴とする手段１３又は１４に記載の遊技機。
手段１５によれば、前記開始情報入力手段によって入力された遊技機識別情報が当該遊技機の遊技機識別情報と一致する場合に、前記開始情報を用いて前記遊技進行データの算出を行うので、同一性を有する遊技機において連続性を有する遊技進行データを算出することができる。尚、遊技機識別情報は、遊技ホールに設置された個々の遊技機を識別可能な識別情報であってもよく、或いは、遊技機の機種を識別可能な識別情報であってもよい。遊技機識別情報が機種を識別可能な機種識別情報である場合、同一機種の異なる遊技機間において連続性のある遊技進行データを算出することができる。
【００２６】
１６．前記遊技進行データによって表される遊技の進行状況に応じた演出を行うように構成されたことを特徴とする手段１３乃至１５のいずれかに記載の遊技機。
手段１６によれば、前記遊技進行データによって表される遊技の進行状況に応じた演出によって、遊技者は遊技の進行状況を容易に把握することができ、遊技者における遊技意欲を向上させることができる。尚、演出とは、遊技者が視覚、聴覚等によって認識可能なものを意味しており、例えば、遊技機用外部装置に設けられた表示装置における表示、装飾ランプの点灯・点滅、音声の発生等が含まれる（以下、同様）。
【００２７】
１７．前記遊技の進行状況に応じた演出は、ストーリー性を有していることを特徴とする手段１６に記載の遊技機。
手段１７によれば、前記遊技の進行状況に応じた演出がストーリー性を有しているので、遊技者は、遊技の進行状況をより一層確実に把握することができ、遊技者における遊技意欲を向上させることができる。
【００２８】
１８．遊技状況に応じて遊技者に付与されるサービスポイントの価値をポイント数として算出するポイント数算出手段を備え、
前記開始情報入力手段は、遊技開始時に遊技者が保持するサービスポイントの価値を表す開始情報を入力させ、
前記累積加算手段は、前記ポイント数算出手段によって新たに算出されたポイント数を前記開始情報に累積加算し、
前記情報出力手段は、前記累積加算結果に基づいて現在の累積ポイント数に応じたサービスポイントを出力することを特徴とする手段１乃至１２のいずれかに記載の遊技機。
手段１８によれば、前記開始情報入力手段が、遊技開始時に遊技者が保持するサービスポイントの価値を表す開始情報を入力させ、前記累積加算手段が、前記ポイント数算出手段によって新たに算出されたポイント数を前記開始情報に累積加算し、前記情報出力手段が、前記累積加算結果に基づいて現在の累積ポイント数に応じたサービスポイントを出力するので、複数回に亘る遊技においてポイント数が累積されたサービスポイントを携帯通信端末等を用いて取得することができる。
【００２９】
１９．前記累積ポイント数に応じた演出を行うように構成されたことを特徴とする手段１８に記載の遊技機。
手段１９によれば、前記累積ポイント数に応じた演出が行われることによって、遊技者はポイント数の累積状況を容易に把握することができ、遊技者における遊技意欲をより一層向上させることができる。
【００３０】
２０．前記累積加算手段による累積加算結果を報知する累積加算結果報知手段、を備えたことを特徴とする手段１乃至１９のいずれかに記載の遊技機。
手段２０によれば、累積加算結果報知手段が、累積加算結果を報知するので、遊技者は、累積加算結果を確実に認識することができる。例えば、累積加算結果が遊技進行データである場合は遊技進行データを、累積加算結果が累積ポイント数である場合は、累積ポイント数をそれぞれ報知するように構成することができる。
【００３１】
２１．前記累積加算結果報知手段は、文字表示、光、音声、携帯通信端末への情報送信のいずれか若しくはこれらの任意の組合わせにより報知を行うことを特徴とする手段２０に記載の遊技機。
手段２１によれば、文字表示、光、音声、携帯通信端末への情報送信のいずれか若しくはこれらの任意の組合わせにより累積加算結果が確実に報知される。
【００３２】
２２．前記情報出力手段は、前記累積加算結果を個々に識別可能な態様で情報出力することを特徴とする手段１乃至２１のいずれかに記載の遊技機。
手段２２によれば、前記情報出力手段が、前記累積加算結果を個々に識別可能な態様で情報出力するので、携帯通信端末等における出力情報の不正取得や取得した情報の不正使用を確実に防止してセキュリティ性の確保を図ることができる。
【００３３】
２３．前記出力情報は、所定の規則に従って付与される固有情報を含んでいることを特徴とする手段２２に記載の遊技機。
手段２３によれば、前記出力情報が所定の規則に従って付与される固有情報を含んでいるので、携帯通信端末等によって取得された出力情報を確実に個々に識別することができる。
【００３４】
２４．外部から遊技者特定情報を入力するための遊技者特定情報入力手段を備え、
前記出力情報は、前記遊技者特定情報を含んでいることを特徴とする手段２２又は２３に記載の遊技機。
手段２４によれば、前記出力情報が、遊技者特定情報入力手段によって外部から入力した遊技者特定情報を含んでいるので、携帯通信端末等によって取得した出力情報がどの遊技者に対して提供されたものであるかを確実に識別することができ、高いセキュリティ性を確保することができる。
【００３５】
２５．前記出力情報は、前記遊技者特定情報及び所定の規則に従って付与される固有情報を含んでいることを特徴とする手段２４に記載の遊技機。
手段２５によれば、前記出力情報が前記遊技者特定情報及び所定の規則に従って付与される固有情報を含んでいるので、出力情報がどの遊技者に対して提供されたものであるかを識別可能であるのに加えて、同一遊技者に対して提供された各々の出力情報についても個々に識別可能である。
【００３６】
２６．前記出力情報は、遊技機を識別するための遊技機識別情報を含んでいることを特徴とする手段２２乃至２５のいずれかに記載の遊技機。
手段２６によれば、前記出力情報が遊技機を識別するための遊技機識別情報を含んでいるので、携帯通信端末等によって取得した出力情報がどの遊技機から出力されたものであるかを確実に識別することができる。
【００３７】
２７．前記出力情報は、前記遊技機識別情報及び所定の規則に従って付与される固有情報を含んでいることを特徴とする手段２６に記載の遊技機。
手段２７によれば、前記出力情報が前記遊技機識別情報及び所定の規則に従って付与される固有情報を含んでいるので、出力情報がどの遊技機から出力されたものであるかを識別可能であるのに加えて、同一遊技機から出力された各々の情報についても個々に識別可能である。
【００３８】
２８．外部から遊技者特定情報を入力するための遊技者特定情報入力手段を備え、
前記出力情報は、前記遊技者特定情報、前記遊技機識別情報及び前記固有情報を含んでいることを特徴とする手段２７に記載の遊技機。
手段２８によれば、前記出力情報が、遊技者特定情報入力手段によって外部から入力した遊技者特定情報、前記遊技機識別情報及び前記固有情報を含んでいるので、出力情報がどの遊技機からどの遊技者に対して提供されたものであるかを識別可能であるのに加えて、同一遊技機から同一遊技者に対して提供された各々のデータについても個々に識別可能である。
【００３９】
２９．前記固有情報は、所定条件でカウントアップされるカウンタ値であることを特徴とする手段２３，２５，２７又は２８のいずれかに記載の遊技機。
手段２９によれば、前記固有情報が所定条件でカウントアップされるカウンタ値であるので、重複が生じることなく容易且つ確実に固有情報を作成することができる。
【００４０】
３０．前記固有情報は、所定時点における時間情報であることを特徴とする手段２３，２５，２７又は２８のいずれかに記載の遊技機。
手段３０によれば、前記固有情報が所定時点における時間情報であるので、重複が生じることなく容易且つ確実に固有情報を作成することができる。
【００４１】
３１．前記出力情報を記憶する出力情報記憶手段、を備え、
前記情報出力手段は、所定のタイミングで前記出力情報記憶手段より前記出力情報を読み出して出力を行うことを特徴とする手段１乃至３０のいずれかに記載の遊技機。
手段３１によれば、前記情報出力手段は、所定のタイミングで前記出力情報記憶手段より前記出力情報を読み出して確実に出力を行うことができる。尚、所定のタイミングとは、遊技が終了した場合や遊技者から情報出力の要求操作が行われた場合等である。
【００４２】
３２．外部から前記出力情報の出力要求を入力する出力要求入力手段、を備え、
前記情報出力手段は、前記出力要求入力手段を介して出力要求が入力された場合に、前記出力情報記憶手段より前記出力情報を読み出して出力を行うことを特徴とする手段３１に記載の遊技機。
手段３２によれば、遊技者が所望のタイミングで前記出力要求入力手段を介して出力要求を入力すると、前記情報出力手段は前記出力情報記憶手段より前記出力情報を読み出して確実に出力を行うことができる。また、出力要求の受信により遊技者側における出力情報の取得準備が完了したことを遊技機が認識した状態で出力情報の出力を実行することができる。
【００４３】
３３．外部から遊技者特定情報を入力するための遊技者特定情報入力手段と、
その遊技者特定情報入力手段を介して入力された遊技者特定情報を記憶する遊技者特定情報記憶手段と、
を備え、
前記情報出力手段は、前記遊技者特定情報記憶手段に記憶された遊技者特定情報に対応づけられた携帯通信端末から出力要求が入力された場合に、前記出力情報記憶手段より前記出力情報を読み出して出力を行うことを特徴とする手段３２に記載の遊技機。
手段３３によれば、前記情報出力手段は、前記遊技者特定情報記憶手段に記憶された遊技者特定情報に対応づけられた携帯通信端末から出力要求が入力された場合に、前記出力情報記憶手段より前記出力情報を読み出して出力を行うので、遊技者特定情報記憶手段に記憶された遊技者特定情報に対応づけられた携帯通信端末以外では出力情報の取得を実行することができないため、当該遊技機における遊技者以外の者によって出力情報の不正取得が行われることを防止することができる。
【００４４】
３４．前記情報出力手段は、無線通信によって前記出力情報を送信するように構成されたことを特徴とする手段１乃至３３のいずれかに記載の遊技機。
手段３４によれば、前記情報出力手段が、無線通信によって前記出力情報を送信するので、携帯通信端末等との間で通信ケーブルの接続等の煩雑な作業を行う必要がなく、携帯通信端末等において極めて簡単に出力情報を受信することができる。
【００４５】
３５．前記情報出力手段は、電磁波或いは光を指向性を有して出力可能に構成されていることを特徴とする手段３４に記載の遊技機。
手段３５によれば、隣接して配置された複数の遊技機より出力される電磁波或いは光が指向性を有して出力されるため、これら双方の電磁波或いは光が互いに干渉することを回避でき、良好な信号の送受信をより安定して実施することができる。
【００４６】
３６．前記情報出力手段は、赤外線を媒介として前記出力情報を送信するように構成されたことを特徴とする手段３５に記載の遊技機。
手段３６によれば、情報出力手段が赤外線を媒介として前記出力情報を送信するように構成されているので、指向性を有する無線通信を簡単な構成で安価に実現することができる。
【００４７】
３７．前記情報出力手段は、有線通信によって前記出力情報を送信するように構成されたことを特徴とする手段１乃至３３のいずれかに記載の遊技機。
手段３７によれば、情報出力手段が有線通信によって前記出力情報を送信するように構成されているので、情報出力手段を簡単且つ安価に構成することができるとともに、高い信頼性で出力情報を確実に携帯通信端末等へ送信することができる。
【００４８】
３８．前記情報出力手段は、前記出力情報を機械読み取り可能なシンボルとして表示出力することを特徴とする手段１乃至３３のいずれかに記載の遊技機。
手段３８によれば、情報出力手段が前記出力情報を機械読み取り可能なシンボルとして表示出力するので、シンボルの種類に対応した読み取り機能を有する携帯電話機を用いて、確実に出力情報の取得を行うことができる。
【００４９】
３９．前記出力情報は、一次元若しくは二次元のバーコードとして表示されることを特徴とする手段３８に記載の遊技機。
手段３９によれば、前記出力情報が一次元若しくは二次元のバーコードとして表示されるので、一次元若しくは二次元のバーコード読み取り機能を備えた携帯通信端末等を用いて、簡単且つ確実に非接触的にデータ取得を行うことができる。例えば、前記出力情報が二次元バーコードとして表示される場合には、近年市販されるようになった二次元バーコード読み取り機能を有する携帯電話機を用いて、画面表示された二次元バーコードの読み取りを行うことにより、出力情報を簡単な操作で確実に取得することができる。
【００５０】
４０．前記出力情報は、文字等の並びとして表示されることを特徴とする手段３８に記載の遊技機。
手段４０によれば、前記出力情報が文字等の並びとして表示されるので、光学的文字認識機能を有する携帯通信端末等を用いて、簡単且つ確実に非接触的に情報取得を行うことができると共に、表示された出力情報の内容を遊技者自身が認識することができる。尚、文字等には、英字、カタカナ、ひらがな、漢字、記号、数字等が含まれる。
【００５１】
【発明の実施の形態】
以下、本発明の遊技機をパチンコ機において具体化した各実施の形態につき図面を参照しつつ説明する。
第一の実施の形態のパチンコ機１は、遊技ホールに設置されたパチンコ島台のカウンタ台の上部にて複数横方向に並べられて設けられる。パチンコ機１は、図１に示すように、前部には前枠２が設けられ、さらにその前枠２にガラス扉枠３が取付けられている。ガラス扉枠３は、軸により前枠２に開閉可能に支持され、かつガラスが嵌め込まれた金属製の枠と、その枠に嵌め込まれる合成樹脂製の枠（以下「樹脂枠」という）とを備えている。ガラス扉枠３の後方には、図２に示す遊技盤７が配置されている。遊技盤７は略円形の遊技領域を有し、その遊技領域には第１種始動口４、特別図柄表示装置（以下、単に「表示装置」という）５及び大入賞口６が設けられている。第１種始動口４は遊技球Ｂの通路を備え、その通路入口に羽根４ａが開閉可能に支持されている。
【００５２】
また、パチンコ機１には、図１の正面図及び図３の通信制御基板のブロック図に示すように、前枠２の窓孔より下方の左右中央部に人体検知センサ４０が設けられている。人体検知センサ４０は、赤外線を利用してセンサ前方における人体の存在の有無を検知するセンサであり、前枠２の窓孔より下方の左右中央部に設けられることにより、遊技者用椅子に着座した遊技者の体に対向するので、遊技者の存在の有無を確実に検出することができる。人体検知センサ４０は、人体の存在を検知した場合に人体検知信号をＯＮし、人体の存在が検知されない場合は人体検知信号をＯＦＦする。また、図３に示すように、人体検知センサ４０はＣＰＵ３６に接続されており、人体検知信号がＣＰＵ３６に入力されるようになっている。
【００５３】
表示装置５下方には、図２に示すように、左右方向の中心を挟んで左側には遊技者が所持する携帯電話機２００との間で赤外線通信を行うための赤外線発光部３３及び赤外線受光部３４と、遊技者の手がかざされたことを検知するための第１赤外線センサ３２ａとがそれぞれ設けられ、右側には遊技データの蓄積が行われたことを報知するための報知ランプ３１と、第１赤外線センサ３２ａと同様の第２赤外線センサ３２ｂとがそれぞれ設けられている。報知ランプ３１、第１赤外線センサ３２ａ、第２赤外線センサ３２ｂ、赤外線発光部３３、及び赤外線受光部３４は、後述する通信制御基板３０に接続され且つ制御される。
【００５４】
ガラス扉枠３の下部には、賞球が払い出される上受け皿３ａが装着されている。また、前枠２の窓孔より下方には下受け皿２ａが装着されている。下受け皿２ａは、前記上受け皿３ａに入りきらない賞球や、上受け皿３ａから球抜きした抜き球や、或いはファウル球等の余剰球を、余剰球出口から排出させて貯留させるものである。前枠２における下受け皿２ａの右側方には遊技球Ｂを発射するための発射ハンドル１７が回動操作可能に装着されている。発射ハンドル１７に対応する前枠２の裏側には駆動手段としてのモータ（図示せず）が装着されており、発射ハンドル１７の回動操作によってモータが回動され、これにより打球杆（図示せず）が間欠動作されるとともに、前記発射ハンドル１７の回動角度に応じた弾発力に調節される。従って、前記モータ及び打球杆等によって球発射装置が構成されている。
【００５５】
表示装置５は第１種始動口４の上方に設けられており、液晶ディスプレイ（ＬＣＤ）からなる画面５ａを備えている。画面５ａには多種類の画像が表示されるが、その１つとして、左図柄列８、中図柄列９及び右図柄列１０が表示される。図柄列の数は前述したもの（３列）に限られず、１列、２列、４列以上であってもよい。各図柄列８乃至１０は、数字、記号等からなる複数の図柄によって構成されている。尚、表示装置５は、サブ基板の一つである図柄表示制御基板２２によって駆動制御される。表示装置５では、図柄列８乃至１０での図柄変動が、遊技球Ｂの第１種始動口４への入賞により開始される。図柄変動は左図柄列８、右図柄列１０、中図柄列９の順に停止されるが、これは一例にすぎず、別の順序で停止されてもよい。全ての図柄列８乃至１０での図柄変動が停止したとき、表示されている図柄（以下「停止図柄」という）の組合せが、予め定められた組合せ（特定表示結果、以下「大当りの組合せ」という）、すなわち、同一種類の図柄が大当りラインに沿って並んでいるときの同図柄の組合せ（例えば、７７７）、となる場合がある。この停止図柄の組合せを、以下「大当り図柄」という。本実施形態では、大当りラインとして、水平方向へ延びるもの（上・中・下の３種類）と、斜め方向へ延びるもの（右下がり・左下がりの２種類）の合計５種類存在するが、これに限られない。例えば、大当りラインの数が１つであり、通常、「１ライン」と呼ばれているものであってもよい。そして、大当りの組合せが成立すると特別電動役物が作動し、遊技者にとって有利な特別遊技状態としての大当り遊技状態が到来し、より多くの賞球を獲得することが可能となる。
【００５６】
さらに、パチンコ機１は大当り遊技状態の発生に先立ちリーチ遊技状態となる。ここで、リーチ遊技状態とは大当り遊技状態の直前の状態をいい、例えば、右図柄列１０での図柄変動が、大当りライン上において左図柄列８での停止図柄と同一種類の図柄で停止し、かつ、その後に中図柄列９での図柄変動が左右両図柄列８，１０での停止図柄と同一種類の図柄で停止されれば最終的に大当りの組合せとなる状態を含む。また、図柄変動が停止すると、大当り遊技状態となる組合せで変動し、その図柄で停止されれば最終的に大当り遊技状態となる場合において、その変動中の状態もリーチ遊技状態に含まれる。これは、通常、全回転（全図柄）リーチと呼ばれているものである。
大入賞口６は第１種始動口４の下方に設けられており、１つのＶゾーン１１、２つの通路１２，１３及びシャッタ１４を備えている。シャッタ１４は大入賞口用ソレノイド（以下、単に「ソレノイド」という）１５により作動させられ、Ｖゾーン１１及び通路１２，１３の各入口を開閉する。
【００５７】
図２に示すように、遊技盤３には、始動口用スイッチ１８、Ｖゾーン用スイッチ１９及びカウントスイッチ２０が取付けられている。始動口用スイッチ１８は、遊技球Ｂの第１種始動口４への入賞を検出する。Ｖゾーン用スイッチ１９は遊技球ＢのＶゾーン１１への入賞を検出し、カウントスイッチ２０は遊技球Ｂの大入賞口６への入賞を検出する。また、各スイッチ１８乃至２０の検出結果に基づきソレノイド１５及び表示装置５をそれぞれ駆動制御するために、制御装置２１、図柄表示制御基板２２及び通信制御基板３０が設けられている。制御装置２１は、パチンコ機１の主制御を行うメイン基板と、音量調整基板、ＬＥＤ基板、払出し制御基板等の各種のサブ基板とから構成されている。図柄表示制御基板２２は、サブ基板の一つであり、ＣＰＵ２３，ＲＯＭ２４，ＲＡＭ２６を主要な構成要素として構成され（図３参照）、メイン基板や通信制御基板３０から入力される信号に基づいて表示装置５を駆動制御する。また、ＲＯＭ２４には、図柄表示用のデータ、演出用の動画データ、各種のメッセージデータからなるメッセージテーブルが記憶されると共に、後述するように遊技者未特定状態用メッセージテーブル２５ａと遊技者特定状態用メッセージテーブル２５ｂとからなるラウンド演出メッセージテーブル２５等が記憶されている。
【００５８】
本実施の形態では、サブ基板の一つとして、さらに通信制御基板３０が設けられており、赤外線発光部３３及び赤外線受光部３４を介して携帯電話機２００との間で行われる通信処理の制御が行われる。通信制御基板３０の具体的構成については後述する。各制御基板は、読出し専用メモリ（ＲＯＭ）、中央処理装置（ＣＰＵ）、ランダムアクセスメモリ（ＲＡＭ）等を備え、ＲＯＭは所定の制御プログラムや初期データを予め記憶しており、ＣＰＵはＲＯＭの制御プログラム等に従って各種演算処理を実行する。また、ＲＡＭはＣＰＵによる演算結果を一時的に記憶する。尚、不正信号がメイン基板へ入力されることを防止するために、信号の伝送方向は、メイン基板から各サブ基板への一方向のみとなっている。
ＣＰＵによる制御の１つとして、大当り遊技状態の発生確率を条件に応じて変動させる、いわゆる確率変動がある。具体的には、１／３００程度の低確率で大当り遊技状態を発生させる低確率モードと、その約５倍である１／６０程度の高確率で大当り遊技状態を発生させる高確率モードとが用意されており、大当り図柄の種類に応じて確率モードが切替えられる。すなわち、大当り図柄が、予め定められた特別図柄（例えば奇数図柄）であると高確率モードに設定され、予め定められた通常図柄（例えば偶数図柄）であると低確率モードに設定される。なお、低確率モードでの発生確率に対する高確率モードでの発生確率の倍数は、前述した値（約５）以外の値であってもよい。
【００５９】
また、ＣＰＵの出力ポートには、外部接続端子板１６が接続されている。また、外部接続端子板１６は、ホール管理コンピュータに接続されるホール管理コンピュータ用の出力端子１６Ａ〜Ｅと、通信制御基板３０に接続される通信制御基板用の出力端子１６ａ〜ｅとを備えている。
ここで、出力端子１６Ａ及び１６ａは、上述した高確率モード中であることを示す「確変中信号」を出力する。また、出力端子１６Ｂ及び１６ｂは、大当りの発生中であることを示す「大当り信号」を出力する。また、出力端子１６Ｃ及び１６ｃは、予め定められた特別図柄（例えば奇数図柄）による大当りの発生中であることを示す「確変大当り信号」を出力する。また、出力端子１６Ｄ及び１６ｄは、球発射装置によって遊技球Ｂの発射が行われているか否かを示す「発射スイッチ信号」を出力する。尚、「発射スイッチ信号」がオンである場合は遊技球Ｂが発射されている（換言すれば、遊技が行われている）ことを、オフである場合は遊技球Ｂの発射が中止されている（換言すれば、遊技が中止されている）ことをそれぞれ示している。また、出力端子１６Ｅ及び１６ｅは、遊技球Ｂが第１種始動口４へ入賞することにより表示装置５における図柄変動が発生したことを示す「図柄変動信号」を出力する。
【００６０】
通信制御基板３０は、遊技者が所持する携帯通信端末としての携帯電話機２００との間で赤外線通信を行うための電子制御回路を搭載した回路基板である。より詳細には、通信制御基板３０は、図３のブロック図に示すように、インタフェース回路（Ｉ／Ｆ）３５と、ＣＰＵ３６と、ＲＯＭ３７と、ＲＡＭ３８とを備えて構成され、遊技盤７上に設けられた報知ランプ３１、情報出力手段としての赤外線発光部３３、遊技者特定情報入力手段及び出力要求入力手段としての赤外線受光部３４がそれぞれ接続されている。
【００６１】
報知ランプ３１は、遊技情報の送信が可能な状態となったことを遊技者に視覚的に報知するためのランプである。報知ランプ３１は、送信可能な遊技情報が有る場合に点灯し、無い場合には消灯されている。また、赤外線発光部３３から遊技情報の送信が行われている間は報知ランプ３１が点滅し、送信が終了すると消灯する。第１赤外線センサ３２ａ及び第２赤外線センサ３２ｂは、赤外線を利用して物体の接近を検知するための公知の赤外線センサによって構成されている。表示装置５において遊技者による”はい”又は”いいえ”等の選択を求めるメッセージが表示された状態で（図２４（ｅ）参照）、いずれかの赤外線センサに手がかざされると、第１赤外線センサ３２ａ又は第２赤外線センサ３２ｂは手がかざされたことを検知し、これにより遊技者による選択が行われる。赤外線発光部３３は、携帯電話機２００に対して遊技情報等を赤外線信号として送信するための発光デバイスである。赤外線受光部３４は、携帯電話機２００から送信される遊技者特定パスワードや遊技情報の送信要求信号としての赤外線信号を受信するための受光デバイスである。尚、赤外線信号は指向性を有しているため、携帯電話機２００の赤外線受光部２０８及び赤外線発光部２０９を、パチンコ機１側の赤外線発光部３３及び赤外線受光部３４に対向させた状態で、パチンコ機１と携帯電話機２００との間で赤外線通信が行われる。また、赤外線発光部３３から前方（遊技者側）に向かって赤外線信号が出力されるため、隣接配置されるパチンコ機同士で赤外線信号が干渉することはない。インタフェース部３５は、通信線を介して外部接続端子板１６の通信制御基板用の出力端子１６ａ〜ｅと接続され、各端子よりそれぞれ出力される「確変中信号」、「大当り信号」、「確変大当り信号」、「発射スイッチ信号」及び「図柄変動信号」をＣＰＵ３６に入力する電子回路である。
【００６２】
ＣＰＵ３６は、通信制御基板３０各部を制御するための制御装置であり、ＲＯＭ３７から制御プログラムを読み出して実行する。ＲＯＭ３７は、通信制御基板３０各部を制御するための制御プログラムや各種のデータ等を記憶する読み出し専用の記憶媒体である。ＲＡＭ３８は、ＣＰＵ３６によって使用されるワーク領域、遊技進行データ記憶領域３８ｅ遊技者特定パスワード記憶領域３８ｃ及び遊技情報送信用の送信バッファ３８ｄを有する書き換え可能な記憶媒体である。不揮発性メモリ３９は、後述する遊技情報カウンタ３９ａを不揮発的に記憶するための書き込み可能な不揮発性の記憶媒体である。不揮発性メモリ３９に記憶される遊技情報カウンタ３９ａの値は、パチンコ機１の電源遮断後も記憶保持される。遊技進行データ記憶領域３８ｅは、出力端子１６ｅを介して表示装置５における図柄変動の発生が検出される度にカウントアップ（すなわち、１が加算）される変動回数ＨＣを記憶する領域である。尚、遊技進行データ記憶領域３８ｅが本発明の出力情報記憶手段を、遊技者特定パスワード記憶領域３８ｃが遊技者特定情報記憶手段をそれぞれ構成するものである。
【００６３】
次に、パチンコ機１との間で赤外線通信が行われる携帯電話機２００の構成について、図４及び図５を参照しつつ説明する。携帯電話機２００は、図４の正面図に示すように、ケース２０２、キー操作部２０４、液晶パネル（表示部）２０６、赤外線受光部２０８、及び赤外線発光部２０９から構成されている。キー操作部２０４は、ケース２０２の正面ケース部２０３に配設されたもので、十字キー、電源キー、ファンクションキー、オンフックキー（開始キー）、クリアキー、及び文字・数字キー（テンキー）等から構成されている。液晶パネル２０６は、ケース２０２に形成された開口部２０２ａの内側に配置されている。赤外線受光部２０８は、赤外線発光部２０９とともに、ケース２０２の左側部２０２ｂに配置されている。
【００６４】
次に、携帯電話機２００の電気回路構成につき図５のブロック図を参照して説明する。携帯電話機２００は、液晶パネル２０６、赤外線受光部２０８、及び赤外線発光部２０９に加えて、無線部２１０、音声回路２１２、レシーバー２１４、マイク２１６、送受信アンテナ２１８、不揮発性メモリ２２０、制御部（マイクロコンピュータ）２２２及び二次電池２２４を有する。無線部２１０は、制御部２２２により制御されて、送受信アンテナ２１８を通して電波を媒体として基地局に対して送受信する。音声回路２１２は、無線部２１０から制御部２２２を通して出力された受信信号をレシーバー２１４に出力するとともに、マイク２１６から出力された音声信号を送信信号として制御部２２２を通して無線部２１０に出力する。レシーバー２１４は、音声回路２１２から出力された受信信号を受信音声に変換して出力し、マイク２１６は、操作者から発せられた送信音声を音声信号に変換して音声回路２１２に出力する。不揮発性メモリ２２０は、各種データや、各種のプログラムを不揮発的に記憶する。二次電池２２４は、各回路に電力を供給する。制御部２２２は、ＣＰＵ，ＲＯＭ及びＲＡＭを含むマイクロコンピュータ等から構成されたもので、電話の発着信処理、電子メールの作成送受信処理、インターネット処理を行う。
【００６５】
尚、パチンコ機１から遊技情報の受信を行うための遊技情報受信用プログラムは、例えば、遊技機メーカ等によって運営されるインターネット・ホームページ等からダウンロードして、不揮発性メモリ２２０に記憶される。また、このとき、遊技機メーカ等の会員登録をすることにより、遊技者特定情報として遊技者の氏名情報を含む遊技者特定パスワードが与えられ、不揮発性メモリ２２０に記憶される。遊技者特定パスワードは、例えば、”Ｘ００１２３４５ヤマダタロウ”のように与えられる。ここで、”Ｘ００”は、遊技者特定パスワードであることを示すヘッダ、”１２３４５”は会員番号、”ヤマダタロウ”は遊技者の氏名をそれぞれ表している。尚、この例において、”ヤマダタロウ”が本発明の遊技者の名前に関する情報、及び遊技者の名前の文字列データに相当するものである。ここで、携帯電話機２００からパチンコ機１へ遊技者の特定を行う場合には、赤外線発光部２０９より遊技者特定パスワードが赤外線信号として送信される。一方、パチンコ機１へ遊技情報の送信要求を行う場合には、赤外線発光部２０９より送信要求信号と共に遊技者特定パスワードが送信される。
【００６６】
次に、前記のように構成されたパチンコ機１の作用及び効果について説明する。図６乃至図８及び図１６のフローチャートは、制御装置２１によって実行される各種ルーチンを示している。これらのルーチンの各処理は、カウンタ群及びフラグＦに基づいて実行される。カウンタ群は、ラウンドカウンタＲ、入賞カウンタＰ及び確変カウンタＣを含む。ラウンドカウンタＲはラウンド回数をカウントするためのものであり、入賞カウンタＰはカウントスイッチ２０の検出結果に基づき大入賞口６への遊技球Ｂの入賞個数をカウントするためのものである。確変カウンタＣは高確率モードの終了を判断するためのものであり、「２」，「１」，「０」の値を採る。なお、カウンタＲ，Ｐ，Ｃの初期値はいずれも「０」である。
そのほかにもカウンタ群は、大当り遊技状態発生を決定するための内部乱数カウンタと、外れリーチ等を決定するための外れリーチ乱数カウンタと、停止図柄等を決定するためのそれぞれの図柄カウンタと、リーチ動作の種類を決定するためのリーチ種別カウンタとを含む。ここで、外れリーチ乱数カウンタによる外れリーチとは、前述したリーチ遊技状態の後に最終的に大当りの組合せとならない状態をいう。フラグＦは、Ｖゾーン１１への遊技球Ｂの入賞の有無を判定するためのものであり、Ｖゾーン用スイッチ１９によって入賞が検出されない場合に「０」に設定され、入賞が検出されると「１」に設定される。なお、確率モードには低確率モードと高確率モードの２種類があることは既に説明したが、初期値には低確率モードが設定されている。
【００６７】
さて、遊技者による遊技が開始されると、制御装置２１は、まず図６の特別電動役物制御ルーチンのステップＳ１０において、始動口用スイッチ１８の検出結果に基づき、遊技球Ｂの第１種始動口４への入賞があったか否かを判定する。この判定条件が満たされていないと特別電動役物制御ルーチンを終了し、満たされているとステップＳ２０において、内部乱数カウンタ、外れリーチ乱数カウンタの各値を取得するとともに、各図柄カウンタの値に基づき図柄列８乃至１０毎に外れ図柄を取得する。ここでの取得とは、各カウンタの値を読取り、その値をメモリに記憶する処理を指す。
【００６８】
次に、ステップＳ３０で図柄変動開始処理を実行する。詳しくは、図８に示すフローチャートのステップＳ１３１において、まず、図柄変動信号がＯＮされる。続いて、ステップＳ１３２において、図柄列８乃至１０の各図柄をそれぞれ表示装置５で変動表示させる。この表示により、遊技者には左・中・右の３つのリールがあたかも回転しているように見える。ステップＳ１３３において、内部乱数カウンタの値が大当り値と同一であるか否かを判定する。大当り値としては、２種類の値（低確率用大当り値、高確率用大当り値）が用意されている。前者は大当り遊技状態を前述した低確率で発生させるための値であり、後者は高確率で発生させるための値である。例えば、内部乱数カウンタが、「０」乃至「２９９」の範囲で所定時間毎に値を更新するものである場合、そのうちの「７」を低確率用大当り値とし、「７」，「１７」，「２７」，「３７」，「４７」を高確率用大当り値とする。すると、大当り遊技状態が発生する確率は、低確率用大当り値を大当り値として用いた場合には１／３００となり、高確率用大当り値を大当り値として用いた場合には１／６０となる。そして、前回の制御周期で低確率モードが設定されている場合には、低確率用大当り値が大当り値として選択される。高確率モードが設定されている場合には、高確率用大当り値が大当り値として選択される。
【００６９】
ステップＳ１３３の判定条件が満たされていると、ステップＳ１３４において、大当り値に対応する大当り図柄を停止図柄としてメモリに記憶する。一方、ステップＳ１３３の判定条件が満たされていないと、ステップＳ１３５において、外れリーチ乱数カウンタの値が予め定められた外れリーチ値と同一である否かを判定する。この判定条件が満たされていると、ステップＳ１３６において、外れリーチ値に対応する図柄（以下「外れリーチ図柄」という）を停止図柄としてメモリに記憶する。なお、ステップＳ１３５の判定条件が満たされていないと、ステップＳ３７において、前記ステップＳ２０での外れ図柄を停止図柄としてメモリに記憶する。そして、上記ステップＳ１３４，Ｓ１３６，Ｓ１３７で停止図柄を記憶し、ステップＳ１３８で、図柄変動信号をＯＦＦした後、図柄変動開始処理ルーチンを終了する。
前記のようにステップＳ３０の処理（図柄変動開始処理）を実行した後、図６のステップＳ４０において左右両図柄列８，１０における図柄を、前記ステップＳ１３４，Ｓ１３５，Ｓ１３６のいずれかの処理で記憶した停止図柄に差替える。差替え後の図柄によって左右両図柄列８，１０での図柄変動を停止させる。
【００７０】
ステップＳ４３では、左右両図柄列８，１０における図柄の組合わせがリーチの組合わせ（同一図柄）であるか否かを判定する。この判定条件が満たされていないと特別電動役物制御ルーチンを終了し、満たされていると、ステップＳ４５において、リーチ演出表示処理を行う。詳しくは、図柄表示制御基板２２において実行される図９に示すリーチ演出表示処理ルーチンにおいて、まず、ステップＳ４５０で遊技者特定フラグＹＦがＯＮしているか否かを判定する。ここで遊技者特定フラグＹＦは、携帯電話機２００から送信された遊技者特定パスワードを赤外線受光部３４において受信して、遊技者が特定されている場合にＯＮとなっており、遊技者が未特定である場合にＯＦＦとなっているフラグであり、通信制御基板３０において管理される。この判定が満たされていない場合（ステップＳ４５０：Ｎｏ）、ステップＳ４５３において遊技者未特定状態用のリーチ演出表示を行う。図１０（ａ）は、遊技者未特定状態用のリーチ演出表示の一例を示している。一方、この判定が満たされている場合（ステップＳ４５０：Ｙｅｓ）、ステップＳ４５１において、遊技者特定パスワード記憶領域３８ｃに記憶された遊技者特定パスワードに含まれる氏名データ（文字コード列）を取得し、ステップＳ４５２において、その取得した氏名データを用いて遊技者特定状態用のリーチ演出表示を行う。図１０（ｂ）は、氏名データを用いた遊技者特定状態用のリーチ演出表示の一例を示している。尚、図柄表示制御基板２２にはキャラクタジェネレータ（図示せず）が設けられており、遊技者特定パスワードより取得した遊技者氏名の文字コード列を用いて、キャラクタジェネレータを介して表示装置５において氏名表示が行われる。
【００７１】
ここで、図１０（ａ）の遊技者未特定状態用のリーチ演出表示では、画面右のキャラクタからの吹き出しメッセージが、「リーチですよ！」となっており、リーチとなったことをメッセージ表示にて報知している。これに対し、図１０（ｂ）の遊技者特定状態用のリーチ演出表示では、「ヤマダタロウさん、リーチですよ！」（”ヤマダタロウ”は、遊技者特定パスワードから取得した氏名データ）となっており、リーチとなったことを示すメッセージ中に遊技者の氏名が組み込まれ、自分の氏名が表示装置５上に表示されることによって遊技者の注意をより一層引きつける演出内容となっている。
【００７２】
ステップＳ５０では、中図柄列９での図柄変動を停止させる。続いて、ステップＳ６０において、図柄の組合せが大当りの組合せであるか否かを判定する。この判定条件が満たされていないと特別電動役物制御ルーチンを終了し、満たされていると、ステップＳ７０において、大当り信号ＯＮを出力端子１６Ｂ及び１６ｂに出力する。さらに、ステップＳ８０において、大当り図柄が特別図柄（この場合、奇数図柄）であるか否かを判定し、特別図柄である場合は（ステップＳ８０：Ｙｅｓ）、ステップＳ９０において確変大当り信号ＯＮを出力端子１６Ｃ及び１６ｃに出力する。続いて、ステップＳ９５において、大当り演出表示処理を行う。詳しくは、図柄表示制御基板２２において実行される図１１に示す大当り演出表示処理において、まず、ステップＳ９５０で遊技者特定フラグＹＦがＯＮしているか否かを判定する。この判定が満たされていない場合（ステップＳ９５０：Ｎｏ）、ステップＳ９５３において遊技者未特定状態用の大当り演出表示を行う。図１２（ａ）は、表示装置５における遊技者未特定状態用の大当り演出表示の一例を示している。一方、この判定が満たされている場合（ステップＳ９５０：Ｙｅｓ）、ステップＳ９５１において、遊技者特定パスワード記憶領域３８ｃに記憶された遊技者特定パスワードより氏名データを取得し、ステップＳ９５２において、その取得した氏名データを用いて遊技者特定状態用の大当り演出表示を行う。図１２（ｂ）は、氏名データを用いた遊技者特定状態用の大当り演出表示の一例を示している。
【００７３】
ここで、図１２（ａ）の遊技者未特定状態用の大当り演出表示では、メッセージが、「大当り」となっており、大当り発生をメッセージ表示にて報知している。これに対し、図１２（ｂ）の遊技者特定状態用の大当り演出表示では、「ヤマダタロウさん大当り」（”ヤマダタロウ”は、遊技者特定パスワードから取得した氏名データ）となっており、大当り発生を示すメッセージ中に遊技者の氏名が組み込まれ、自分の氏名が表示装置５上に表示されることによって遊技者の注意をより一層引きつける演出内容となっている。続いて、ステップＳ１００において、ラウンドカウンタＲをリセットする。ステップＳ１１０において入賞カウンタＰをリセットするとともに、フラグＦを「０」に設定する。続いて、図７のステップＳ１２０においてソレノイド１５を励磁する。すると、シャッタ１４が倒れ、大入賞口６の通路入口が開放される。この開放により、遊技球ＢのＶゾーン１１及び通路１２，１３への入賞が可能となる。ステップＳ１３０でラウンドカウンタＲを「１」インクリメントする。
【００７４】
次に、ステップＳ１３５において、ラウンドカウンタＲの値に応じてラウンド演出画面表示処理を行う。詳しくは、図柄表示制御基板２２において実行される図１３（ａ）に示すラウンド演出画面表示処理において、まず、ステップＳ１３３０で、ラウンドカウンタＲの値に対応するラウンド演出画面データを図柄表示制御基板２２に搭載されたＲＯＭより取得し、ステップＳ１３３１において、その取得したラウンド演出画面データ及び当り目データに基づいて、ラウンド演出画面（図１４、図１５の表示例におけるカウント値及び下部メッセージを除く画面構成部分）の表示を行った後、特別電動役物制御ルーチンへリターンする。続いて、ステップＳ１３５で、カウンタ値及びメッセージの表示を行う。
詳しくは、図１３（ｂ）におけるカウンタ値・メッセージ表示ルーチンにおいて、まず、ステップＳ１３５０で、カウンタＰの値をラウンド演出画面上部の所定位置に表示する。次に、ステップＳ１３５１で遊技者特定フラグＹＦがＯＮしているか否かを判定する。この判定が満たされていない場合（ステップＳ１３５１：Ｎｏ）、ステップＳ１３５３において、図柄表示制御基板２２に搭載されたＲＯＭ上に設けられたラウンド演出メッセージテーブル２５の遊技者未特定状態用メッセージテーブル２５ａ（図３参照）からラウンドカウンタＲに対応する遊技者未特定状態用のメッセージを取得し、ステップＳ１３５４において、ラウンド演出画面の下部にその取得したメッセージを表示する。尚、ラウンド演出メッセージテーブル２５は、遊技者未特定状態用メッセージテーブル２５ａと遊技者特定状態用メッセージテーブル２５ｂとからなり、それぞれ、「第１ラウンド用メッセージ、第２ラウンド用メッセージ、第３ラウンド用メッセージ、・・・」のように、各ラウンドにおいて表示されるメッセージデータを格納するデータテーブルである。図１４（ａ）は、遊技者未特定状態用のラウンド演出表示の一例（第１ラウンドの表示例）を示しており、図１５（ａ）は、他の例（第３ラウンドの表示例）を示している。一方、この判定が満たされている場合（ステップＳ１３５１：Ｙｅｓ）、ステップＳ１３５２において、ラウンド演出メッセージテーブル２５の遊技者特定状態用メッセージテーブル２５ｂからラウンドカウンタＲに対応する遊技者特定状態用のメッセージを取得し、ステップＳ１３５４において、ラウンド演出画面の下部にその取得したメッセージを表示する。図１４（ｂ）は、メッセージデータを用いた遊技者特定状態用のラウンド演出表示の一例（第１ラウンドの表示例）を示しており、図１５（ｂ）は他の一例（第３ラウンドの表示例）を示している。
【００７５】
ここで、図１４（ａ）の遊技者未特定状態用のラウンド演出表示（第１ラウンド）では、ラウンド数、カウント数、当り目等の表示、及びラウンド毎に予め設定された図柄が表示されると共に、「パスワードを送信してね！＞＞＞受信した情報で各種グランプリに参加できるよ。」とのメッセージが表示されている。これに対し、図１４（ｂ）の遊技者特定状態用のラウンド演出表示（第１ラウンド）では、図１４（ａ）と同様の図柄表示と共に、「大当り回数グランプリ＆確変連続回数グランプリ開催中！＞＞＞上位にランクインすると豪華賞品がもらえるよ。」とのメッセージが表示されている。また、図１５（ａ）の遊技者未特定状態用のラウンド演出表示（第３ラウンド）ではラウンド数、カウント数、当り目等の表示、及びラウンド毎に予め設定された図柄が表示されると共に、「パスワードを送信してね！＞＞＞受信した情報でポイントが貯まるよ。」とのメッセージが表示されている。これに対し、図１５（ｂ）の遊技者特定状態用のラウンド演出表示では、図１５（ａ）と同様の図柄表示と共に、「○○○ポイントでＸＸゲーム機、○○○○ポイントで電動バイク・・・などなど景品は盛りだくさん。詳しくは当社ホームページを見てね。」とのメッセージが表示されている。
このように、遊技者が特定されていない場合には、遊技者特定パスワードの送信を促すと共に、パスワードを送信して遊技情報を受信することにより得られるメリットをメッセージにて報知する。一方、既に遊技者特定パスワードが送信されて遊技者が特定されている場合には、特定された遊技者に対する有益且つより具体的な情報をメッセージにて報知する。つまり、遊技者特定を行っているか否かで表示装置５における演出内容を変化させ、遊技者特定状況に応じてより効果的な演出を行うように構成されている。尚、遊技者特定パスワードが未入力で大当り遊技状態が発生した場合には、遊技者未特定状態用のメッセージ表示（図１４（ａ）、図１５（ａ））が行われるが、大当り遊技状態の最中（すなわち、ラウンド演出画面表示中）に遊技者特定パスワードが携帯電話機２００から送信されてパチンコ機１にて遊技者が特定された場合は、図１３（ｂ）のカウンタ値・メッセージ表示処理が特別電動役物制御ルーチン内で繰り返し呼び出されて実行される間に、ステップＳ１３５１の判定がＮｏからＹｅｓへと変わるため、遊技者未特定状態用のメッセージ表示（図１４（ａ）、図１５（ａ））から遊技者特定状態用のメッセージ表示（図１４（ｂ）、図１５（ｂ））へ、直ちにメッセージ表示の切り換えが行われる。よって、遊技者特定パスワードの入力が受け付けられたことを遊技者に認識させることができると共に、遊技者特定状態用のメッセージ表示が直ちに実行されることによって遊技意欲のさらなる向上を図ることができる。
【００７６】
次に、ステップＳ１４０において、入賞カウンタＰの値が所定値Ｐｍａｘ  以下であるか否かを判定する。この判定条件が満たされていると、ステップＳ１５０において、大入賞口６の閉鎖予定時期がまだか否かを判定する。この判定条件が満たされていると（ステップＳ１５０：Ｙｅｓ）、ステップＳ１４０へ戻る。その結果、大入賞口６の開放開始後にＰｍａｘ  個よりも多くの遊技球Ｂが入賞するか、閉鎖予定時期が到来するかしない限りは、大入賞口６が開放され続ける。これに対し、ステップＳ１４０，Ｓ１５０の判定条件のいずれか一方が満たされていないと、ステップＳ１６０においてソレノイド１５を消磁する。すると、シャッタ１４が起こされ、大入賞口６の通路入口が閉鎖される。ステップＳ１７０において、ラウンドカウンタＲの値が所定値Ｒｍａｘ  以下であるか否かを判定する。この判定条件が満たされていると、ステップＳ１８０においてフラグＦが「１」であるか否かを判定する。ステップＳ１８０の判定条件が満たされていると（ステップＳ１８０：Ｙｅｓ）、図６のステップＳ１１０へ戻る。従って、一旦大当り遊技状態が発生すると、遊技球ＢがＶゾーン１１に最大Ｒｍａｘ  回入賞するまでは、大入賞口６が開閉のサイクルを繰返す。例えば、所定値Ｐｍａｘ  が「１０」に設定され、大入賞口６の開放時間が「約２９．５」秒に設定され、所定値Ｒｍａｘ  が「１６」に設定されている場合には、大入賞口６の開放後、（１）遊技球Ｂが大入賞口６へ１０個入賞すること、（２）約２９．５秒が経過すること、のいずれか一方の条件が満たされた時点で大入賞口６が閉鎖される。この大入賞口６の開放・閉鎖のサイクルが、遊技球ＢのＶゾーン１１への入賞を条件に最大で１６回繰返されることとなる。ステップＳ１７０，Ｓ１８０の判定条件のいずれか一方が満たされていないと、ステップＳ１９０で「大当り信号ＯＦＦ」を出力端子１６Ｂ及び１６ｂに出力する。さらに、ステップＳ２００において、大当り図柄が特別図柄（この場合、奇数図柄）であるか否かを判定し、特別図柄である場合は（ステップＳ２００：Ｙｅｓ）、ステップＳ２１０において確変大当り信号ＯＦＦを出力端子１６Ｃ及び１６ｃに出力する。続いて、ステップＳ２２０で確率変動処理を実行し、その後、特別電動役物制御ルーチンを終了する。
【００７７】
図１６の確率変動処理ルーチンでは、ステップＳ２２１において、大当り図柄が通常図柄（この場合偶数図柄）であるか否かを判定する。この判定条件が満たされていないと（ステップＳ２２１：Ｎｏ）、すなわち、大当り図柄が特別図柄（奇数図柄）であると、ステップＳ２２７において確変カウンタＣが「０」であるか否か（高確率モード中であるか否か）が判定され、確変カウンタＣが「０」である（高確率モード中である）場合は（ステップＳ２２７：Ｙｅｓ）、ステップＳ２２８において、確変中信号ＯＮを出力端子１６Ａ及び１６ａに出力する。続いて、ステップＳ２２９において高確率モードを設定し、確変カウンタＣに「２」を設定する。ステップＳ２２９の処理を実行した後、確率変動処理ルーチンを終了する。このように、高確率中に特別図柄（奇数図柄）で大当り遊技状態が連続して発生した場合には、高確率モードが継続することとなる。一方、前記ステップＳ２２１の判定条件が満たされていると、すなわち、大当り図柄が通常図柄（偶数図柄）であると、ステップＳ２２２において確変カウンタＣが「０」でないか否かを判定する。この判定条件が満たされていない（Ｃ＝０）と確率変動処理ルーチンを終了し、満たされている（Ｃ＝２，１）とステップＳ２２３において確変カウンタＣを「１」デクリメントする。ステップＳ２２４において確変カウンタＣが「０」であるか否かを判定する。この判定条件が満たされていない（Ｃ＝１）と確率変動処理ルーチンを終了し、満たされている（Ｃ＝０）とステップＳ２２５において、確変中信号ＯＦＦを出力端子１６Ａ及び１６ａに出力し、ステップＳ２２６において、低確率モードを設定する。このように一旦高確率モードが設定されると、確変カウンタＣが「０」となるまで、すなわち、高確率モード設定後、連続して偶数図柄で２回大当り遊技状態が発生するまでは高確率モードが継続する。そして、偶数図柄での大当り遊技状態が２回連続すると、高確率モードが終了し低確率モードに切替えられる。なお、本実施形態での処理手順は一例であり、適宜変更可能である。例えば、図柄変動処理（ステップＳ３１）を停止図柄の記憶処理（ステップＳ３３，Ｓ３５，Ｓ３６）の後に行うようにしてもよい。
【００７８】
上述したように、本実施形態では、遊技球Ｂが第１種始動口４へ入賞したことが検出されると、各カウンタの値が取得されるとともに図柄列８乃至１０が変動表示される。各カウンタの値に基づき停止図柄が記憶され、その停止図柄によって図柄変動が停止される。停止されたときに表示されている図柄の組合せが大当りの組合せであると、遊技者に有利な大当り遊技状態が発生し、遊技球ＢがＶゾーン１１に最大Ｒｍａｘ  回入賞するまで、大入賞口６の開閉のサイクルが繰返される。一方、大当り図柄が特別図柄（奇数図柄）であると高確率モードが設定され、次回と、その次の回の２回にわたり大当り遊技状態の発生確率が高められる。すなわち、一旦高確率モードが設定されると、次回以降２回の大当り遊技状態の発生確率が高められるが、その期間中に再び奇数図柄で大当り遊技状態が発生すれば高確率モードが設定される。これに対し、前記期間経過後に通常図柄（偶数図柄）で大当り遊技状態が発生すれば高確率モードが終了する（低確率モードに切替えられる）。
【００７９】
次に、通信制御基板３０において実行される各処理の詳細説明に先立って、パチンコ機１における遊技の開始から携帯電話機２００への遊技情報送信までの流れの概略について説明する。
本実施の形態は、遊技進行データとしての図柄変動の累積発生回数ＨＣ（以下、変動回数ＨＣと称する）によって遊技の進行状況を管理するとともに、変動回数ＨＣデータを含む遊技情報を、遊技者が所持する携帯電話機２００によって受信可能な赤外線信号として送信するものである。遊技者は、遊技ホールにおいてパチンコ機１の前方に設置された席に着くと、当該パチンコ機１における遊技を開始する前に、自己が所持する携帯電話機２００の赤外線発光部２０９より、”機種ＩＤ＋遊技者特定パスワード＋開始データ”を赤外線信号としてパチンコ機１の赤外線受光部３４に対して送信する。ここで、機種ＩＤとは、パチンコ機１の機種を識別するための識別情報である。また、開始データは、今回の遊技開始時における変動回数データである。尚、開始データが本発明の開始情報に相当する。パチンコ機１では、受信した機種ＩＤによって機種の確認が、遊技者特定パスワードによって遊技者の特定がそれぞれ行われると共に、受信した開始データが現在の変動回数として設定される。
【００８０】
ここで、当該機種のパチンコ機で初めて遊技を行う場合、機種ＩＤとしては所定のダミーＩＤが、開始データとしては”０”が携帯電話機２００から送信される。一方、同一機種での２回目以降の遊技の場合、機種ＩＤは当該パチンコ機１の機種ＩＤであり、開始データは当該機種の前回遊技終了時における変動回数となっている。そして、初めて遊技する場合は開始データが０であるので、表示装置５における演出が最初のストーリーから開始されるのに対し、２回目以降に遊技をする場合は、受信された開始データ（＝前回遊技終了時における変動回数）が現在の変動回数として設定されることにより、パチンコ機１における遊技の進行状況が前回遊技の続きとして設定され、表示装置５における演出は前回遊技終了時におけるストーリーから開始される。
そして、遊技中に遊技球Ｂが第１種始動口へ入賞して図柄変動が発生する度に、出力端子１６ｅを介して図柄変動信号が検出され、遊技進行データ記憶領域３８ｅの変動回数ＨＣに１ずつ加算される。その後、遊技者は遊技を終了する時に、携帯電話機２００より”送信要求信号＋遊技者特定パスワード”を赤外線信号としてパチンコ機１に送信すると、パチンコ機１に記憶された遊技者特定パスワードと受信した遊技者特定パスワードとが一致することを条件に、パチンコ機１の赤外線発光部３３から変動回数ＨＣデータを含む遊技情報が送信され、携帯電話機２００によって受信及び記憶される。携帯電話機２００において受信した遊技情報は、次回遊技の開始時に、今回遊技の続きから遊技を開始するための開始データとしてパチンコ機１に送信することができる。
【００８１】
次に、通信制御基板３０において実行される遊技者確認処理ルーチンについて、図１７のフローチャートを参照しつつ説明する。尚、本ルーチンは、遊技が開始された直後、すなわち、出力端子１６ｄから出力される「発射スイッチ信号」がＯＦＦからＯＮになったことの検出に基づいて、通信制御基板３０のＣＰＵ３６がＲＯＭ３７より呼び出して実行するものである。
ステップＳ１５００において、遊技者特定フラグＹＦがＯＮであるか否かを判定する。遊技者特定フラグＹＦがＯＮである場合は（ステップＳ１５００：Ｙｅｓ）、本ルーチンの処理を終了する。遊技者特定フラグＹＦがＯＦＦである場合は（ステップＳ１５００：Ｎｏ）、ステップＳ１５０１において、パスワード記憶領域３８ｃに遊技者特定パスワードが記憶されているか否かを判定する。尚、遊技者特定フラグＹＦがＯＦＦであり且つパスワード記憶領域３８ｃに遊技者特定パスワードが記憶されている場合とは、遊技者を特定して遊技を行った後に遊技を中止し、再び同一の遊技者が遊技を再開した場合や、遊技者を特定して遊技を行った後に遊技を終了し、その後、別の遊技者が遊技を開始した場合等である。遊技者特定パスワードが記憶されている場合は（ステップＳ１５０１：Ｙｅｓ）、ステップＳ１５０２において、遊技者特定パスワードより遊技者氏名の文字列（例えば、”ヤマダタロウ”）を読み出し、ステップＳ１５０３において、現在特定されている遊技者の氏名を確認するためのメッセージを表示装置５に表示する。メッセージは、例えば、「現在の遊技者はヤマダタロウ様です。よろしいですか？はい／いいえ」のように表示される。そして、遊技者は自分の氏名が表示されている場合は、”はい”を、他人の氏名が表示されている場合は、”いいえ”を、第１赤外線センサ３２ａ（”はい”の場合）又は第２赤外線センサ３２ｂ（”いいえ”の場合）に手をかざすことにより選択する。
【００８２】
ここで、第１赤外線センサ３２ａによって遊技者の手がかざされたことが検知されると、ステップＳ１５０４において、”はい”が入力されたと判断され、ステップＳ１５０５において、遊技者特定フラグＹＦがＯＮされた後、本ルーチンの処理を終了する。一方、第２赤外線センサ３２ｂによって遊技者の手がかざされたことが検知された場合又は所定時間内にいずれの赤外線センサによっても手がかざされたことが検知されなかった場合は、ステップＳ１５０４において、”いいえ”が入力されたと判断され、ステップＳ１５０６においてパスワード記憶領域３８ｃの内容を消去した後、ステップＳ１５０７へ移行する。
ステップＳ１５０１において、パスワード記憶領域３８ｃに遊技者特定パスワードが記憶されていないと判定された場合（ステップＳ１５０１：Ｎｏ）、ステップＳ１５０７において、遊技者が未特定である旨を報知すると共に遊技者の特定を行うか否かの選択メッセージを表示装置５に表示する。メッセージは、例えば、「現在、遊技者は特定されていません。遊技者の特定を行いますか？はい／いいえ」のように表示される。そして、遊技者は、遊技者の特定を希望する場合は、”はい”を、希望しない場合は、”いいえ”を、第１赤外線センサ３２ａ（”はい”の場合）又は第２赤外線センサ３２ｂ（”いいえ”の場合）に手をかざすことにより選択する。
【００８３】
ここで、第１赤外線センサ３２ａによって遊技者の手がかざされたことが検知されると、ステップＳ１５０８において、”はい”が入力されたと判断され、ステップＳ１５０９において、遊技者特定タイムが形成され、遊技者特定タイム中である旨を報知すると共に遊技者特定パスワードの送信を促すメッセージを表示装置５に表示する。メッセージは、例えば、「＜遊技者特定タイム＞パスワードを送信して遊技者の特定を行ってください。」のように表示される。一方、第２赤外線センサ３２ｂによって遊技者の手がかざされたことが検知された場合又は所定時間内にいずれの赤外線センサによっても手がかざされたことが検知されなかった場合は、ステップＳ１５０８において、”いいえ”が入力されたと判断され、本ルーチンの処理を終了する。従って、遊技者の特定を希望しない場合は遊技者特定タイムへ移行することなく直ちに通常の遊技状態へ戻ることができ、遊技者の特定を希望する場合には確実に遊技者特定タイムへ移行して遊技者特定パスワードの送信を行うための時間が確保される。
【００８４】
そして、ステップＳ１５１０において、遊技者特定フラグＹＦがＯＮされたか否かが判定され、遊技者特定フラグＹＦがＯＮされた場合は（ステップＳ１５１０：Ｙｅｓ）、本ルーチンの処理を終了する。尚、遊技者特定タイム中に携帯電話機２００から遊技者特定パスワードが送信されることにより、所定時間間隔で呼び出される図２０〜図２１の情報通信処理メインルーチン内において遊技者特定処理（ステップＳ１４０６）が実行された場合に、遊技者特定フラグＹＦがＯＮされる。遊技者特定フラグＹＦがＯＮされていない場合は（ステップＳ１５１０：Ｎｏ）、ステップＳ１５１１において、遊技者特定タイムが終了したか否か（すなわち、ステップＳ１５０９で遊技者特定タイムが開始してから所定時間が経過したか否か）が判定される。遊技者特定タイムが終了していない場合は（ステップＳ１５１１：Ｎｏ）、ステップＳ１５１０へ戻り、遊技者特定タイムが終了した場合は（ステップＳ１５１１：Ｙｅｓ）、本ルーチンの処理を終了する。
【００８５】
次に、通信制御基板３０において実行される変動回数記憶処理ルーチンについて、図１８のフローチャートを参照しつつ説明する。本ルーチンは、通信制御基板３０のＣＰＵ３６がＲＯＭ３７より所定周期で繰り返し呼び出して実行するものである。また、電源投入時の初期化処理において、変動回数ＨＣに初期値として「０」が設定される。
【００８６】
最初に、ステップＳ１３００において、Ｉ／Ｆ回路３５より、「確変中信号」及び「図柄変動信号」の各信号状態をそれぞれ読み込む。続いて、ステップＳ１３１０において、「図柄変動信号」がＯＦＦからＯＮに変化したか否かを判定する。「図柄変動信号」がＯＦＦからＯＮに変化したと判定された場合は（ステップＳ１３１０：Ｙｅｓ）、ステップＳ１３２０において、「確変中信号」がＯＦＦ状態であるか否かを判定する。「確変中信号」がＯＦＦ状態である場合は（ステップＳ１３２０：Ｙｅｓ）、ステップＳ１３３０において、遊技進行データ記憶領域３８ｅの変動回数ＨＣをカウントアップ（すなわち、１を加算）するとともに、ステップＳ１３４０において、報知ランプ３１を点灯した後、本ルーチンの処理を終了してリターンする。一方、「確変中信号」がＯＮ状態である場合（高確率モード中）は（ステップＳ１３２０：Ｎｏ）、変動回数ＨＣの値をカウントアップすることなく、本ルーチンの処理を終了してリターンする。尚、ステップＳ１３３０の処理が、本発明の累積加算手段として機能するものである。
【００８７】
ここで、変動回数ＨＣの推移について、図１９のグラフを参照しつつ説明する。グラフでは、時間の経過に伴って「図柄変動信号」が所定の確率で発生しているものとする。「確変中信号」がＯＦＦの間（時間ｔ０〜ｔ１及びｔ２〜ｔ３）、「図柄変動信号」が１回発生する毎に変動回数ＨＣが１ずつ増加する。一方、「確変中信号」がＯＮの間（高確率モード中、時間ｔ１〜ｔ２）、「図柄変動信号」が発生しても変動回数ＨＣの値は変化しない。すなわち、高確率モード中における図柄変動信号の発生は変動回数ＨＣの算出から除外し、低確率モードにおける図柄変動信号の発生のみをカウントして変動回数ＨＣを算出することにより、遊技の進行状況を適切に反映させるようにしている。
【００８８】
次に、通信制御基板３０において実行される情報通信処理について、図２０〜図２１に示す情報通信処理メインルーチンのフローチャートを参照しつつ説明する。本ルーチンは、ＲＯＭ３７に記憶されており、ＣＰＵ３６がＲＯＭ３７より所定周期で繰り返し当該ルーチンを読み出して実行する。
【００８９】
尚、携帯電話機２００からの開始データ、遊技者特定パスワード、送信要求信号等の送信は、携帯電話機２００において上述した遊技情報受信用プログラムを起動した状態でボタン２０４を操作することにより行われるものとする。例えば、開始データ送信の際には、図２３（ａ）に示すように、パチンコ機の機種名及び前回遊技終了時の変動回数を液晶パネル２０６に表示させ、ボタン２０４を操作して選択することにより、選択された機種の機種ＩＤ、遊技者特定パスワード及び開始データがメモリ２２０から読み出されて赤外線発光部２０９より赤外線信号として送信される。
【００９０】
図２０〜図２１のフローチャートで、最初に、ステップＳ１４００において、赤外線受光部３４によって”機種ＩＤ＋遊技者特定パスワード＋開始データ”が受信されたか否かを判定する。”機種ＩＤ＋遊技者特定パスワード＋開始データ”が受信された場合は（ステップＳ１４００：Ｙｅｓ）、ステップＳ１４０１において、受信した機種ＩＤが、ＲＯＭ３７に記憶される当該パチンコ機１の機種ＩＤと一致するか否かを判定する。受信した機種ＩＤが当該パチンコ機１の機種ＩＤと一致する場合は（ステップＳ１４０１：Ｙｅｓ）、ステップＳ１４０２において、受信した開始データの値を遊技進行データ記憶領域３８ｅの変動回数ＨＣへ書き込む。ここで、開始データは前回遊技の終了時における変動回数の値であるので、ステップＳ１４０２の処理により、パチンコ機１には前回遊技終了時の進行状況が設定される。尚、赤外線受光部３４及びステップＳ１４００〜１４０２の処理が、本発明の開始情報入力手段として機能するものである。
【００９１】
受信した機種ＩＤが当該パチンコ機１の機種ＩＤと一致しない場合は（ステップＳ１４０１：Ｎｏ）、ステップＳ１４０３において、受信した機種ＩＤが所定のダミーＩＤと一致するか否かを判定する。受信した機種ＩＤが所定のダミーＩＤと一致する場合は（ステップＳ１４０３：Ｙｅｓ）、ステップＳ１４０４において、数値”０”を遊技進行データ記憶領域３８ｅの変動回数ＨＣへ書き込む。ここで、ダミーＩＤが送信されるのは当該機種において初めて遊技をする場合であるので、変動回数ＨＣに”０”が設定されることにより、パチンコ機１において新規に遊技を開始する遊技進行状況となる。
【００９２】
また、受信した機種ＩＤが当該パチンコ機１の機種ＩＤ及び所定のダミーＩＤのいずれとも一致しない場合は（ステップＳ１４０３：Ｎｏ）、ステップＳ１４０５において、図２４（ａ）に示すように、「機種ＩＤが一致しません。機種を確認して下さい。」とのメッセージを表示装置５に表示した後、本ルーチンの処理を終了する。
【００９３】
ステップＳ１４０２又はステップＳ１４０４において変動回数ＨＣに開始データが設定された後、ステップＳ１４０６において、受信した遊技者特定パスワードをパスワード記憶領域３８ｃに記憶すると共に、遊技者特定フラグＹＦをＯＮする。続いて、ステップＳ１４０７において、図２４（ｂ）に示すように、「ヤマダタロウ様が遊技者として特定されました。変動回数○○回より遊技を開始します。」とのメッセージを表示装置５に表示する。さらに、ステップＳ１４０８において、変動回数ＨＣの値が図柄表示制御基板２２へ送信され、本ルーチンの処理を終了する。
【００９４】
一方、表示装置５では、図柄表示制御基板２２によって制御されることにより、変動回数の値に対応するストーリー画面による演出表示が行われる。例えば、図４４に示すように、変動回数が１００回増加する毎に、ストーリー▲１▼（１００回）、ストーリー▲２▼（２００回）、ストーリー▲３▼（３００回）、ストーリー▲４▼（４００回）・・・とストーリー展開の演出が実行される。尚、図４４では、前回の遊技でストーリー▲１▼からストーリー▲２▼の途中まで遊技した後、変動回数データを含む遊技情報を携帯電話機２００にて受信し、今回の遊技開始時に、前回の変動回数データを開始データとして携帯電話機２００からパチンコ機１に送信して、ストーリー▲２▼の続きから遊技が開始された例を示している。
【００９５】
ステップＳ１４００において”機種ＩＤ＋遊技者特定パスワード＋開始データ”が受信されなかったと判定された場合は（ステップＳ１４００：Ｎｏ）、ステップＳ１４０９において、”送信要求信号＋遊技者特定パスワード”が受信されたか否かを判定する。”送信要求信号＋遊技者特定パスワード”が受信されなかったと判定された場合は（ステップＳ１４０９：Ｎｏ）、本ルーチンの処理を終了する。
【００９６】
ステップＳ１４０９において、”送信要求信号＋遊技者特定パスワード”が受信された場合は（ステップＳ１４０９：Ｙｅｓ）、ステップＳ１４１０において、送信要求信号と共に受信した遊技者特定パスワードとパスワード記憶領域３８ｃに記憶された遊技者特定パスワードとが一致するか否かを判定する。尚、パスワード記憶領域３８ｃに遊技者特定パスワードが記憶されていない場合も、一致しない場合として判定される。送信要求信号と共に受信した遊技者特定パスワードとパスワード記憶領域３８ｃに記憶された遊技者特定パスワードとが一致しない場合は（ステップＳ１４１０：Ｎｏ）、ステップＳ１４１１において、図２４（ｃ）に示すように、「パスワードが一致しないか未入力のため、情報を送信できません。」とのメッセージを表示装置５に表示し、本ルーチンの処理を終了する。
【００９７】
従って、携帯電話機２００から送信要求信号が送信された場合であっても、送信要求信号と共に受信した遊技者特定パスワードがパスワード記憶領域３８ｃに記憶された遊技者特定パスワードと一致しない場合には、遊技情報の送信は行われない。このため、遊技開始時に特定された遊技者以外の者によって遊技情報が不正に受信されることを防止することができる。
【００９８】
送信要求信号と共に受信した遊技者特定パスワードとパスワード記憶領域３８ｃに記憶された遊技者特定パスワードとが一致する場合は（ステップＳ１４１０：Ｙｅｓ）、ステップＳ１４１２において、コネクト信号を送信し、ステップＳ１４１３において、携帯電話機２００からリターン信号を受信する。これにより、通信制御基板３０と携帯電話機２００との間で、赤外線通信が可能な状態となる。続いて、ステップＳ１４１４において、報知ランプ３２の点滅を開始する。そして、ステップＳ１４１５において、遊技進行データとしての変動回数データを含む遊技情報の作成及び送信処理を行う。ここで、ステップＳ１４１５における遊技情報の作成及び送信処理は、図２２に示す遊技情報作成・送信処理ルーチンを呼び出して実行することにより行われる。尚、遊技情報作成・送信処理ルーチンの各ステップの処理及び赤外線発光部３３が、本発明の情報出力手段として機能するものである。
【００９９】
遊技情報作成・送信処理ルーチンでは、ステップＳ１４７１において、当該パチンコ機１を他と識別する遊技機識別情報としての遊技機ＩＤが、ＲＡＭ３８上の送信バッファ３８ｄの１番目の格納領域に格納される。ここで、図２６（ａ）は、遊技情報送信用の送信バッファ３８ｄのフォーマットを、同図（ｂ）は遊技情報の格納例をそれぞれ示している。続いて、ステップＳ１４７２において、不揮発性メモリ３９より遊技情報カウンタ３９ａの値を読み出して送信バッファの２番目の領域に格納する。更に、ステップＳ１４７３において、遊技進行データ識別コード（”Ｄ００”）、及び本発明の出力情報としての遊技進行データを送信バッファ３８ｄの３番目の領域に格納する。つまり、遊技情報は、”遊技機ＩＤ＋遊技情報カウンタ値＋遊技進行データ識別コード＋遊技進行データ”というデータ構造を有する。尚、遊技機ＩＤの上３桁は機種ＩＤであり、開始データとともに送信される機種ＩＤは遊技機ＩＤに基づいて設定される。また、遊技進行データ識別コードは、遊技進行データの種類を識別するためのコードであり、”Ｄ００”は「変動回数」を表す。従って、遊技進行データ識別コードが”Ｄ００”である場合、遊技進行データは変動回数ＨＣの値となる。
【０１００】
そして、ステップＳ１４７４において、送信バッファ３８ｄに格納された遊技情報を赤外線発光部３３より赤外線信号として送信する。続いて、ステップＳ１４７５において、赤外線受光部３４にて携帯電話機２００より確認信号を受信し、ステップＳ１４７６において、不揮発性メモリ３９の遊技情報カウンタの値をカウントアップした後、メインルーチンにリターンする。
一方、赤外線発光部３３から遊技情報が送信されている間、携帯電話機２００の液晶パネル２０６には、図２３（ｂ）に示すように、「情報を受信しています」とのメッセージが表示される。尚、遊技情報カウンタ３９ａの値が「遊技情報の送信毎に設定される固有情報」に相当するものである。
【０１０１】
情報通信処理メインルーチン（図２１）にリターンすると、ステップＳ１４１６において、送信終了信号を送信する。一方、携帯電話機２００においてパチンコ機１から送信終了信号を受信すると、携帯電話機２００の液晶パネル２０６には、図２３（ｃ）に示すように、「情報の受信が完了しました」とのメッセージが表示され、遊技情報受信プログラムの実行を終了する。
続いて、ステップＳ１４１７において、報知ランプ３１を消灯し、ステップＳ１４１８において、変動回数ＨＣに”０”を設定するとともに、遊技者特定フラグＹＦをＯＦＦし、送信バッファ３８ｄの記憶内容を消去して、本ルーチンの処理を終了する。
【０１０２】
上述した情報通信処理メインルーチンにおいて送信された遊技情報は、携帯電話機２００によって受信されると、遊技機ＩＤ、遊技情報カウンタ値、遊技進行データ識別コード及び遊技進行データ（すなわち、変動回数データ）からなる遊技情報が、携帯電話機２００に内蔵されたメモリ２２０に順次、蓄積記憶される。尚、図２８は、携帯電話機２００のメモリ２２０における遊技情報の記憶例を示すものである。
【０１０３】
ここで、携帯電話機２００に記憶された遊技情報は、個々の遊技情報の送信を識別可能に表している。すなわち、遊技機ＩＤによって、全国の遊技店に設置された多数の遊技機の中で、どの遊技機における遊技情報であるかが識別される。さらに、遊技情報カウンタ値によって、当該パチンコ機１において何回目に出力された遊技情報であるかが識別される。上述したように、カウンタ値は遊技情報の送信毎にカウントアップされるので、同一の値が存在することはない。従って、”遊技機ＩＤ＋遊技情報カウンタ値”のデータの並びはそれぞれ固有のものであって、同じデータが２つ存在することがないため、各遊技機における個々の遊技情報の送信を確実に識別することができる。さらに、遊技情報は、遊技進行データを識別するための識別コードを含んでいるので、どのような種類の遊技進行データであるかを識別することが可能である。
【０１０４】
次に、通信制御基板３０において実行される遊技終了処理について、図２７に示す遊技終了処理ルーチンのフローチャートを参照しつつ説明する。本ルーチンは、ＲＯＭ３７に記憶されており、ＣＰＵ３６がＲＯＭ３７より所定周期で繰り返し当該ルーチンを読み出して実行する。
【０１０５】
最初に、ステップＳ１６００において、人体検知センサ４０より出力される人体検知信号がＯＮからＯＦＦになったか否かが判定される。人体検知信号がＯＮからＯＦＦになった場合以外は（ステップＳ１６００：Ｎｏ）、本ルーチンの処理を終了する。すなわち、人体検知信号がＯＦＦからＯＮになった場合は遊技開始を、ＯＮ状態が継続している場合は遊技継続中を、ＯＦＦ状態が継続している場合は遊技中止状態が継続していることをそれぞれ意味する。一方、人体検知信号がＯＮからＯＦＦになった場合は、遊技者がパチンコ機１の前方から存在しなくなったことを意味し、当該遊技者が遊技を終了してパチンコ機１から離れた可能性が高い。
【０１０６】
人体検知信号がＯＮからＯＦＦになった場合は（ステップＳ１６００：Ｙｅｓ）、ステップＳ１６０１において、所定時間（例えば、５分間）経過しているか否かが判定される。人体検知信号がＯＮからＯＦＦになってから所定時間以内である場合は（ステップＳ１６０１：Ｎｏ）、当該遊技者が遊技を再開する場合も想定されるため、ステップＳ１６０１以降の処理を実行しない。
【０１０７】
所定時間が経過した場合は（ステップＳ１６０１：Ｙｅｓ）、ステップＳ１６０２において、変動回数ＨＣデータが遊技進行データ記憶領域３８ｅに記憶されているか否かを判定する。変動回数ＨＣが記憶されていない場合は（ステップＳ１６０２：Ｎｏ）、本ルーチンの処理を終了する。
【０１０８】
変動回数ＨＣデータが記憶されている場合、すなわち、未送信の変動回数ＨＣデータが残存している場合は（ステップＳ１６０２：Ｙｅｓ）、ステップＳ１６０３において、変動回数データの消去を行うことを表示装置５におけるメッセージ表示により予告的に報知する。例えば、図２４（ｅ）に示すように、「変動回数データを消去します。よろしいですか？はい／いいえ」と表示される。そして、ステップＳ１６０４において、第１赤外線センサ３２ａに手がかざされたことが検出された場合又はいずれの赤外線センサによっても手のかざしが検出されなかった場合は、「はい」が入力されたと認識して、ステップＳ１６０５において、遊技進行データ記憶領域３８ｅの記憶内容（すなわち、変動回数ＨＣデータ）の消去、及び遊技者特定パスワード記憶領域３８ｃの記憶内容（すなわち、遊技者特定パスワード）の消去を実行する。続いて、ステップＳ１６０６において、変動回数データが消去された旨のメッセージを表示装置５に表示する。例えば、「蓄積情報が消去されました。」のようにメッセージ表示を行う（図２４（ｄ）参照）。そして、ステップＳ１６０７において、報知ランプ３１を消灯した後、本ルーチンの処理を終了する。
【０１０９】
一方、ステップＳ１６０４において、第２赤外線センサ３２ｂに手がかざされたことが検出された場合は、「いいえ」が入力されたと認識して、変動回数ＨＣデータの消去を実行することなく、ステップＳ１６０８において、図２４（ｆ）に示すように、表示装置５に「情報の送信が可能です。送信要求を行って情報を受信してください。」とのメッセージを表示し、ステップＳ１６００へ戻る。よって、遊技者は、遊技終了後に遊技情報の受信を行うことを忘れて短時間の間、席を離れた場合であっても、所定時間内に携帯電話機２００から送信要求を送信することにより、変動回数データを受信することができる。
【０１１０】
以上詳述したことから明らかなように、本実施の形態によれば、遊技者に提供するための情報を出力可能な遊技機であって、遊技開始時に外部から開始情報を入力させるための開始情報入力手段（赤外線受光部３４）と、遊技状況に応じて前記開始情報に図柄変動の発生回数（所定の情報）を累積加算する累積加算手段（変動回数記憶処理ルーチン）と、その累積加算手段による累積加算結果に基づいて遊技情報として情報出力する情報出力手段（遊技情報作成・送信処理ルーチン及び赤外線発光部３３）と、を備えたことを特徴とする。よって、累積加算手段による累積加算結果に基づいて遊技情報を出力するので、遊技者は、複数回に亘る遊技の結果を反映する遊技情報（出力情報）を、携帯電話機２００を用いて取得することができる。
【０１１１】
また、本実施の形態によれば、遊技開始時における遊技の進行度合いを表す開始情報を赤外線受光部３４より入力させ、遊技の進行に伴って新たに付与される図柄変動の発生回数を前記開始情報に累積加算し、その累積加算結果に基づいて現在の遊技進行度合いを表す遊技進行データを赤外線発光部３３より出力することを特徴とする。よって、遊技者は携帯電話機２００を用いて遊技進行データを取得することにより、複数回に亘る遊技において連続した遊技進行状況を管理することができると共に、携帯電話機２００にて受信した遊技情報を、多様な方法で活用することが可能となる。
【０１１２】
すなわち、携帯電話機２００等の携帯通信端末にて受信した遊技情報を当該携帯通信端末より遊技機メーカ等に送信することにより、多数の遊技者間で遊技進行状況を競うランキングへ参加することが考えられる。また、携帯通信端末にて受信した遊技情報を当該携帯通信端末より遊技ホール或いは遊技機メーカ等に送信することにより、遊技進行状況に応じたサービスポイントの提供を受けることも考えられる。このように、携帯通信端末にて受信した情報の活用を図ることにより、遊技者の遊技意欲を向上させて、他の遊技ホール又は他の遊技機メーカとの差別化、集客、遊技時間の拡大等を図ることが可能となる。
【０１１３】
また、本実施の形態によれば、演出手段としての表示装置５は、送信情報の蓄積状況、すなわち遊技進行データ記憶領域３８ｅにおける変動回数ＨＣに応じた演出を行うので、遊技者は表示装置５における演出を通じて遊技進行の度合い（送信情報の蓄積状況）を知ることができ、遊技者における遊技意欲を一層向上させることができる。また、表示装置５による変動回数ＨＣに応じた演出が、ストーリー性を有しているので、遊技者は演出を通じて変動回数ＨＣの値（送信情報の蓄積状況）をより確実に把握することができ、遊技者における遊技意欲をより一層向上させることができる。
【０１１４】
次に、第一の実施の形態の第一の変形例について図面を参照しつつ説明する。前記実施の形態では、遊技情報をそれぞれ固有の値とするために遊技情報カウンタ値を用いる構成としたが、本変形例では、通信制御基板３０に時計を内蔵させ、個々の遊技情報の送信時点を表す時点データを、遊技情報の構成要素として用いる構成としたものである。図２９（ａ）は、本変形例における送信バッファのフォーマットを、（ｂ）は送信バッファの格納例を示す図である。また、図３０は、携帯電話機２００によって受信された遊技情報の記憶例を示す図である。この変形例によれば、遊技情報の送信時点を表す時点データによって、重複が生じない固有情報を簡単且つ確実に作成することができる。さらに、時点データを用いることにより、どのようなタイミングで遊技情報が送信されたかを、受信した遊技情報に基づいて解析することができる。
【０１１５】
次に、第一の実施の形態の第二の変形例について、図面を参照しつつ説明する。前記第一の実施の形態では、パチンコ機１の前枠２に設けた人体検知センサ４０によって遊技者の有無を検知する構成としたが、本変形例では、図３１に示すように、各パチンコ機１０１に対応する遊技者用椅子５０の着座部分に設けられた着座センサ５１によって遊技者の有無を検知するように構成している。ここで、着座センサ５１は、遊技者用椅子５０の着座部分５０ａにおける荷重を検出可能な歪み式荷重センサによって構成され、荷重検出信号が伝送線５２を介してＣＰＵ３６へ伝送されるようになっている。そして、前記第一の実施の形態では、図２７の遊技終了処理ルーチンにおいて、ステップＳ１６００で人体検知信号がＯＮからＯＦＦに変化した場合に、遊技者有りから遊技者無しに変化した（すなわち、遊技終了）と判定したが、本変形例では、ステップＳ１６００において荷重検出値が所定値（例えば、３５ｋｇ）以上から所定値未満に変化した場合に、遊技者有りから遊技者無しに変化した（すなわち、遊技終了）と判定してステップＳ１６０１以降の遊技終了処理において遊技進行データ記憶領域３８ｅの記憶内容の消去を実行するように構成されている。
【０１１６】
次に、本発明の第二の実施の形態について、図面を参照しつつ説明する。本実施の形態は、開始情報としての累積ポイント数が赤外線受光部３４から入力されると共に、特定の遊技状態（図柄変動）の発生の検出毎にポイント数を個々に算出して開始情報に累積加算して現在の累積ポイント数を算出し、赤外線発光部３３より累積ポイント数に応じた価値を有するサービスポイントを送信する構成としたものである。尚、上述した第一の実施の形態と共通する構成については同一の符号を付し、それらについての詳細な説明を省略する。また、図２、図４乃至図７乃至図１７は第一の実施の形態と共に本実施の形態の内容をも表すものとする。
【０１１７】
本実施の形態におけるパチンコ機１０２では、図３２の正面図及び図３３の通信制御基板のブロック図に示すように、遊技球Ｂを発射するための発射ハンドル１７において、遊技者の手で把持される外周部分に指紋センサ４２が設けられている。指紋センサ４２は、ＣＰＵ３６に接続されており、発射ハンドル１７において検出した指紋データがＣＰＵ３６に伝送される。また、ＣＰＵ３６に伝送された指紋データは、ＲＡＭ３８の指紋データ記憶領域３８ｉに記憶されるとともに、今回検出された指紋データと、指紋データ記憶領域３８ｉに記憶された前回の指紋データとが比較照合される。両指紋データが一致する場合には、同一遊技者が遊技を継続していると判定され、一致しない場合には、遊技者の交替があったと判定される。
【０１１８】
本実施の形態のＲＡＭ３８には、図３３に示すように、第一の実施形態と同様に遊技者特定パスワード記憶領域３８ｃ及び送信バッファ３８ｄが設けられると共に、遊技進行データ記憶領域３８ｅに代えて、出力情報記憶手段としての累積ポイント記憶領域３８ｈが設けられている。累積ポイント記憶領域３８ｈは、出力端子１６ｅを介して表示装置５における図柄変動の発生が検出される度に、ポイント数「１」が順次積算されて算出される累積ポイント数ＲＰを記憶する領域である。さらに、ＲＡＭ３８には、指紋センサ４２によって検出された指紋データを記憶する指紋データ記憶領域３８ｉが設けられている。尚、累積ポイント記憶領域３８ｈが本発明の出力情報記憶手段を構成するものである。また、ＲＯＭ３７におけるポイント数参照テーブル３７ａは、本実施の形態では使用されない。
【０１１９】
次に、通信制御基板３０において実行される各処理の詳細説明に先立って、パチンコ機１０２における遊技の開始から携帯電話機２００へのサービスポイント送信までの流れの概略について説明する。
本実施の形態は、開始情報としての累積ポイント数が赤外線受光部３４から入力されると共に、図柄変動発生の検出毎にポイント数を個々に算出して開始情報に累積加算して現在の累積ポイント数を算出し、赤外線発光部３３より累積ポイント数に応じた価値を有するサービスポイントを送信する構成としたものである。遊技者は、遊技ホールにおいてパチンコ機１０２の前方に設置された席に着くと、当該パチンコ機１０２における遊技を開始する前に、自己が所持する携帯電話機２００の赤外線発光部２０９より、”機種ＩＤ＋遊技者特定パスワード＋開始データ”を赤外線信号としてパチンコ機１０２の赤外線受光部３４に対して送信する。ここで、機種ＩＤとは、パチンコ機１０２の機種を識別するための識別情報である。また、開始データは、携帯電話機２００におけるポイント数残高である。尚、開始データが本発明の開始情報に相当する。パチンコ機１０２では、受信した機種ＩＤによって機種の確認が、遊技者特定パスワードによって遊技者の特定がそれぞれ行われると共に、受信した開始データが現在の累積ポイント数として設定される。
【０１２０】
ここで、当該機種のパチンコ機で初めて遊技を行う場合、機種ＩＤとしては所定のダミーＩＤが、開始データとしては”０”が携帯電話機２００から送信される。一方、同一機種での２回目以降の遊技の場合、機種ＩＤは当該パチンコ機１０２の機種ＩＤであり、開始データは当該機種におけるポイント数残高となっている。そして、初めて遊技する場合は開始データが０であるので、表示装置５における演出が最初のストーリーから開始されるのに対し、２回目以降に遊技をする場合は、受信された開始データが現在の累積ポイント数として設定されることにより、パチンコ機１０２における遊技の進行状況が携帯電話機２００におけるポイント数残高に基づいて設定される。
【０１２１】
そして、遊技中に遊技球Ｂが第１種始動口へ入賞して図柄変動が発生する度に、出力端子１６ｅを介して図柄変動信号が検出され、累積ポイント記憶領域３８ｈの累積ポイント数ＲＰにポイント数が１ずつ加算される。その後、遊技者は遊技を終了する時に、携帯電話機２００より”送信要求信号＋遊技者特定パスワード”を赤外線信号としてパチンコ機１０２に送信すると、パチンコ機１０２に記憶された遊技者特定パスワードと受信した遊技者特定パスワードとが一致することを条件に、パチンコ機１０２の赤外線発光部３３から累積ポイント数データを含むサービスポイントが送信され、携帯電話機２００によって受信及び記憶される。携帯電話機２００において受信したサービスポイントは、賞品の獲得等のために使用することができ、ポイント数残高を次回遊技の開始時に開始データとしてパチンコ機１０２に送信することができる。
【０１２２】
次に、通信制御基板３０において実行されるポイント累積処理ルーチンについて、図３４のフローチャートを参照しつつ説明する。尚、本ルーチンは、通信制御基板３０のＣＰＵ３６がＲＯＭ３７より所定周期で繰り返し呼び出して実行するものである。また、電源投入時の初期化処理において、累積ポイント数ＲＰに初期値として「０」が設定される。
【０１２３】
最初に、ステップＳ３３００において、Ｉ／Ｆ回路３５より、「確変中信号」及び「図柄変動信号」の各信号状態をそれぞれ読み込む。続いて、ステップＳ３３１０において、「図柄変動信号」がＯＦＦからＯＮに変化したか否かを判定する。「図柄変動信号」がＯＦＦからＯＮに変化したと判定された場合は（ステップＳ３３１０：Ｙｅｓ）、ステップＳ３３２０において、「確変中信号」がＯＦＦ状態であるか否かを判定する。「確変中信号」がＯＦＦ状態である場合は（ステップＳ３３２０：Ｙｅｓ）、ステップＳ３３３０において、累積ポイント記憶領域３８ｈの累積ポイント数ＲＰをカウントアップ（すなわち、ポイント数”１”を加算）するとともに、ステップＳ３３４０において、報知ランプ３１を点灯した後、本ルーチンの処理を終了してリターンする。一方、「確変中信号」がＯＮ状態である場合（高確率モード中）は（ステップＳ３３２０：Ｎｏ）、累積ポイント数ＲＰの値をカウントアップすることなく、本ルーチンの処理を終了してリターンする。尚、ステップＳ３３３０の処理が、本発明の累積加算手段として機能するものである。
【０１２４】
ここで、累積ポイント数ＲＰの推移について、図３５のグラフを参照しつつ説明する。グラフでは、時間の経過に伴って「図柄変動信号」が所定の確率で発生しているものとする。「確変中信号」がＯＦＦの間（時間ｔ０〜ｔ１及びｔ２〜ｔ３）、「図柄変動信号」が１回発生する毎に累積ポイント数ＲＰが１ずつ増加する。一方、「確変中信号」がＯＮの間（高確率モード中、時間ｔ１〜ｔ２）、「図柄変動信号」が発生しても累積ポイント数ＲＰの値は変化しない。すなわち、高確率モード中における図柄変動信号の発生はポイント数の算出から除外し、低確率モードにおける図柄変動信号の発生のみをカウントして累積ポイント数ＲＰを算出する。
【０１２５】
次に、通信制御基板３０において実行される情報通信処理について、図３６〜図３７に示す情報通信処理メインルーチンのフローチャートを参照しつつ説明する。尚、本ルーチンは、ＲＯＭ３７に記憶されており、ＣＰＵ３６がＲＯＭ３７より所定周期で繰り返し当該ルーチンを読み出して実行する。
【０１２６】
尚、携帯電話機２００からの開始データ、遊技者特定パスワード、送信要求信号等の送信は、携帯電話機２００において上述したサービスポイント受信用プログラムを起動した状態でボタン２０４を操作することにより行われるものとする。例えば、開始データ送信の際には、図３８に示すように、パチンコ機の機種名及びサービスポイント残高を液晶パネル２０６に表示させ、ボタン２０４を操作して選択することにより、選択された機種の機種ＩＤ、遊技者特定パスワード及び開始データとしてのサービスポイント残高がメモリ２２０から読み出されて赤外線発光部２０９より赤外線信号として送信される。
【０１２７】
図３６乃至図３７のフローチャートで、最初に、ステップＳ３４００において、赤外線受光部３４によって”機種ＩＤ＋遊技者特定パスワード＋開始データ”が受信されたか否かを判定する。”機種ＩＤ＋遊技者特定パスワード＋開始データ”が受信された場合は（ステップＳ３４００：Ｙｅｓ）、ステップＳ３４０１において、受信した機種ＩＤが、ＲＯＭ３７に記憶される当該パチンコ機１０２の機種ＩＤと一致するか否かを判定する。受信した機種ＩＤが当該パチンコ機１０２の機種ＩＤと一致する場合は（ステップＳ３４０１：Ｙｅｓ）、ステップＳ３４０２において、受信した開始データの値を累積ポイント記憶領域３８ｈの累積ポイント数ＲＰへ書き込む。ここで、開始データは、携帯電話機２００のメモリ２２０に記憶されたサービスポイントのポイント数残高であるので、ステップＳ３４０２の処理により、パチンコ機１０２における累積ポイント記憶領域３８ｈの累積ポイント数ＲＰには、携帯電話機２００に記憶されたサービスポイントのポイント数残高が設定される。尚、赤外線受光部３４及びステップＳ３４００〜３４０２の処理が、本発明の開始情報入力手段として機能するものである。
【０１２８】
受信した機種ＩＤが当該パチンコ機１０２の機種ＩＤと一致しない場合は（ステップＳ３４０１：Ｎｏ）、ステップＳ３４０３において、受信した機種ＩＤが所定のダミーＩＤと一致するか否かを判定する。受信した機種ＩＤが所定のダミーＩＤと一致する場合は（ステップＳ３４０３：Ｙｅｓ）、ステップＳ３４０４において、数値”０”を累積ポイント記憶領域３８ｈの累積ポイント数ＲＰへ書き込む。ここで、ダミーＩＤが送信されるのは当該機種において初めて遊技をする場合であるので、累積ポイント数ＲＰに”０”が設定されることにより、パチンコ機１０２において新規に遊技を開始する遊技進行状況となる。
【０１２９】
また、受信した機種ＩＤが当該パチンコ機１０２の機種ＩＤ及び所定のダミーＩＤのいずれとも一致しない場合は（ステップＳ３４０３：Ｎｏ）、ステップＳ３４０５において、図３９（ａ）に示すように、「機種ＩＤが一致しません。機種を確認して下さい。」とのメッセージを表示装置５に表示した後、本ルーチンの処理を終了する。
【０１３０】
ステップＳ３４０２又はステップＳ３４０４において累積ポイント数ＲＰに開始データが設定された後、ステップＳ３４０６において、受信した遊技者特定パスワードをパスワード記憶領域３８ｃに記憶すると共に、遊技者特定フラグＹＦをＯＮする。続いて、ステップＳ３４０７において、図３９（ｂ）に示すように、「ヤマダタロウ様が遊技者として特定されました。現在のポイント数残高は○○○ポイントです。」とのメッセージを表示装置５に表示する。さらに、ステップＳ３４０８において、累積ポイント数ＲＰの値が図柄表示制御基板２２へ送信され、本ルーチンの処理を終了する。
【０１３１】
一方、表示装置５では、図柄表示制御基板２２によって制御されることにより、累積ポイント数の値に対応するストーリー画面による演出表示が行われる。例えば、図４０に示すように、累積ポイント数が１００ポイント増加する毎に図柄表示制御基板２２へ制御指令が送信されることにより、ストーリー▲１▼（１００ポイント）、ストーリー▲２▼（２００ポイント）、ストーリー▲３▼（３００ポイント）、ストーリー▲４▼（４００ポイント）・・・のようにストーリー展開の演出が実行される。尚、図４０では、前回の遊技でストーリー▲１▼からストーリー▲２▼の途中まで遊技した後、サービスポイントを携帯電話機２００にて受信し、今回の遊技開始時に、携帯電話機２００のメモリ２２０に記憶されたサービスポイントのポイント数残高を開始データとしてパチンコ機１０２に送信して、ストーリー▲２▼の続きから遊技が開始された例を示している。
【０１３２】
ステップＳ３４００において”機種ＩＤ＋遊技者特定パスワード＋開始データ”が受信されなかったと判定された場合は（ステップＳ３４００：Ｎｏ）、ステップＳ３４０９において、”送信要求信号＋遊技者特定パスワード”が受信されたか否かを判定する。”送信要求信号＋遊技者特定パスワード”が受信されなかったと判定された場合は（ステップＳ３４０９：Ｎｏ）、本ルーチンの処理を終了する。
【０１３３】
ステップＳ３４０９において、”送信要求信号＋遊技者特定パスワード”が受信された場合は（ステップＳ３４０９：Ｙｅｓ）、ステップＳ３４１０において、送信要求信号と共に受信した遊技者特定パスワードとパスワード記憶領域３８ｃに記憶された遊技者特定パスワードとが一致するか否かを判定する。尚、パスワード記憶領域３８ｃに遊技者特定パスワードが記憶されていない場合も、一致しない場合として判定される。送信要求信号と共に受信した遊技者特定パスワードとパスワード記憶領域３８ｃに記憶された遊技者特定パスワードとが一致しない場合は（ステップＳ３４１０：Ｎｏ）、ステップＳ３４１１において、図３９（ｃ）に示すように、「パスワードが一致しないか未入力のため、サービスポイントを送信できません。」とのメッセージを表示装置５に表示し、本ルーチンの処理を終了する。
【０１３４】
従って、携帯電話機２００から送信要求信号が送信された場合であっても、送信要求信号と共に受信した遊技者特定パスワードがパスワード記憶領域３８ｃに記憶された遊技者特定パスワードと一致しない場合には、サービスポイントの送信は行われない。このため、遊技開始時に特定された遊技者以外の者によってサービスポイントが不正に受信されることを防止することができる。
【０１３５】
送信要求信号と共に受信した遊技者特定パスワードとパスワード記憶領域３８ｃに記憶された遊技者特定パスワードとが一致する場合は（ステップＳ３４１０：Ｙｅｓ）、ステップＳ３４１２において、コネクト信号を送信し、ステップＳ３４１３において、携帯電話機２００からリターン信号を受信する。これにより、通信制御基板３０と携帯電話機２００との間で、赤外線通信が可能な状態となる。続いて、ステップＳ３４１４において、報知ランプ３２の点滅を開始する。そして、ステップＳ３４１５において、サービスポイントの作成及び送信処理を行う。ここで、ステップＳ３４１５におけるサービスポイントの作成及び送信処理は、図４１に示すサービスポイント作成・送信処理ルーチンを呼び出して実行することにより行われる。尚、赤外線発光部３３及びサービスポイント作成・送信処理ルーチンの各処理が、本発明の情報出力手段として機能するものである。
【０１３６】
サービスポイント作成・送信処理ルーチンでは、ステップＳ３４７１において、当該パチンコ機１０２を他と識別する遊技機識別情報としての遊技機ＩＤが、ＲＡＭ３８上の送信バッファ３８ｄの１番目の格納領域に格納される。ここで、図４２（ａ）は、サービスポイント送信用の送信バッファ３８ｄのフォーマットを、同図（ｂ）はサービスポイントの格納例をそれぞれ示している。続いて、ステップＳ３４７２において、不揮発性メモリ３９よりサービスポイントカウンタ３９ｂの値を読み出して送信バッファの２番目の領域に格納する。更に、ステップＳ３４７３において、累積ポイント記憶領域３８ｈに記憶された本発明の出力情報としての累積ポイント数ＲＰの値を送信バッファ３８ｄの３番目の領域に格納する。つまり、サービスポイントは、”遊技機ＩＤ＋サービスポイントカウンタ値＋累積ポイント数データ”というデータ構造を有する。尚、遊技機ＩＤの上３桁は機種ＩＤであり、開始データとともに送信される機種ＩＤは遊技機ＩＤに基づいて設定される。尚、遊技機ＩＤ及びサービスポイントカウンタ値が、各サービスポイントを個々に識別するための識別情報に相当するものである。
【０１３７】
そして、ステップＳ３４７４において、送信バッファ３８ｄに格納されたサービスポイントを赤外線発光部３３より赤外線信号として送信する。続いて、ステップＳ３４７５において、赤外線受光部３４にて携帯電話機２００より確認信号を受信し、ステップＳ３４７６において、不揮発性メモリ３９のサービスポイントカウンタの値をカウントアップした後、メインルーチンにリターンする。
【０１３８】
情報通信処理メインルーチン（図３７）にリターンすると、ステップＳ３４１６において、送信終了信号を送信する。続いて、ステップＳ３４１７において、報知ランプ３１を消灯し、ステップＳ３４１８において、累積ポイント数ＲＰに”０”を設定するとともに、遊技者特定フラグＹＦをＯＦＦし、送信バッファ３８ｄの記憶内容を消去して、本ルーチンの処理を終了する。
【０１３９】
上述した情報通信処理メインルーチンにおいて送信されたサービスポイントは、携帯電話機２００によって受信されると、遊技機ＩＤ、サービスポイントカウンタ値、累積ポイント数データが、携帯電話機２００に内蔵されたメモリ２２０に記憶される。尚、図４４は、携帯電話機２００のメモリ２２０における記憶例を示すものである。
【０１４０】
次に、通信制御基板３０において実行される遊技終了処理について、図４３に示す遊技終了処理ルーチンのフローチャートを参照しつつ説明する。本ルーチンは、ＲＯＭ３７に記憶されており、ＣＰＵ３６がＲＯＭ３７より所定周期で繰り返し当該ルーチンを読み出して実行する。
【０１４１】
最初に、ステップＳ３６００において、指紋センサ４２より出力される今回の指紋データと指紋データ記憶領域３８ｉに記憶された前回の指紋データとを比較照合し、指紋が一致するか否かが判定される。指紋が一致する場合は（ステップＳ３６００：Ｙｅｓ）、本ルーチンの処理を終了する。すなわち、指紋が一致する場合は、同一遊技者による遊技が継続していることを意味するからである。
【０１４２】
指紋が一致しないと判定された場合、すなわち、遊技者が交替することにより交替前の遊技者による遊技が終了したと判定された場合は（ステップＳ３６００：Ｎｏ）、ステップＳ３６０１において、累積ポイント数ＲＰが累積ポイント記憶領域３８ｈに記憶されているか否かを判定する。累積ポイント数ＲＰが記憶されていない場合は（ステップＳ３６０１：Ｎｏ）、本ルーチンの処理を終了する。
【０１４３】
累積ポイント数ＲＰが記憶されている場合、すなわち、未送信の累積ポイント数ＲＰデータが残存している場合は（ステップＳ３６０１：Ｙｅｓ）、ステップＳ３６０２において、累積ポイント記憶領域３８ｈの記憶内容（すなわち、累積ポイント数ＲＰ）の消去、及び遊技者特定パスワード記憶領域３８ｃの記憶内容（すなわち、遊技者特定パスワード）の消去を実行する。続いて、ステップＳ３６０３において、累積ポイント数ＲＰデータが消去された旨のメッセージを表示装置５に表示する。例えば、「累積ポイントが消去されました。」のようにメッセージ表示を行う（図３９（ｄ）参照）。そして、ステップＳ３６０４において、報知ランプ３１を消灯した後、本ルーチンの処理を終了する。
【０１４４】
以上詳述したことから明らかなように、本実施の形態によれば、遊技者に提供するための情報を出力可能な遊技機であって、遊技開始時に外部から開始情報を入力させるための開始情報入力手段（赤外線受光部３４）と、図柄変動発生毎に前記開始情報に対してポイント数（所定の情報）を累積加算する累積加算手段（ポイント累積処理ルーチン）と、その累積加算手段による累積加算結果としての累積ポイント数ＲＰに基づいて遊技情報として情報出力する情報出力手段（サービスポイント作成・送信処理ルーチン及び赤外線発光部３３）と、を備えたことを特徴とする。よって、累積加算手段による累積加算結果（累積ポイント数）に基づいてサービスポイントを出力するので、遊技者は、複数回に亘る遊技の結果を反映するサービスポイント（出力情報）を、携帯電話機２００を用いて取得することができる。そして、サービスポイントはポイント数に応じた価値を有しているため、携帯電話機２００より遊技ホールや遊技機メーカ等にサービスポイントを送ることによって、遊技者がポイント数に応じた賞品を獲得したり、サービスの提供を受けること等が実現でき、遊技者における遊技意欲を向上させて、他の遊技ホール又は他の遊技機メーカとの差別化、集客、遊技時間の拡大等を図ることが可能となる。
【０１４５】
尚、本発明は上述した各実施の形態に限定されるものではなく、本発明の主旨を逸脱しない範囲で種々の変更を施すことが可能である。例えば、次のように変更して実施してもよい。
例えば、前記第二の実施の形態において、図柄変動の発生毎に１ポイントが付与されて累積ポイント記憶領域３８ｈの累積ポイント数ＲＰに加算する構成としたが、累積ポイント記憶領域３８ｈにおけるポイント数の蓄積状況に応じて、２以上のポイント数が付加価値情報として付与される構成としてもよい。これにより、遊技者は、付加価値情報の獲得を一つの遊技目標として遊技を行うことができ、遊技意欲を一層向上させることができる。或いは、ポイント蓄積状況に応じて通常のサービスポイントとは異なる種類の特別な価値情報を付与する構成としてもよい。
【０１４６】
前記各実施の形態において出力情報記憶手段に蓄積記憶された内容を報知するように構成してもよい。例えば、前記第一の実施の形態では、出力情報記憶手段としての遊技進行データ記憶領域３８ｅに蓄積記憶された内容（累積変動回数）を表示装置５にて表示するように構成してもよい（図４５（ａ）参照）。また、前記第二の実施の形態では、出力情報記憶手段としての累積ポイント記憶領域３８ｈに蓄積記憶された内容（累積ポイント数）を表示装置５にて表示するように構成してもよい（図４５（ｂ）参照）。このように構成することにより、遊技者は、出力情報記憶手段に蓄積記憶された内容（変動回数、累積ポイント数）を確実に把握することができ、より一層の遊技意欲の向上が図られる。
また、前記各実施の形態において、赤外線受光部３４を介して入力された開始データ（第一の実施の形態では変動回数、第二の実施の形態では累積ポイント数）を表示装置５における文字表示、光、音声、携帯通信端末への情報送信のいずれか若しくはこれらの任意の組合わせにより報知するように構成してもよい。このように構成することにより、遊技者は、パチンコ機に入力された開始データを確実に認識することができる。
前記各実施の形態においては携帯電話機２００から送信要求信号を受信したことに基づいて赤外線発光部３３より情報出力する構成としたが、例えば、遊技終了が検出された場合等所定のタイミングで情報出力を実行するように構成してもよい。この場合、情報出力を開始する前に、情報出力を実行するか否かを遊技者に選択させるように構成することが好ましい。
【０１４７】
前記各実施の形態では、赤外線発光部３３から遊技情報又はサービスポイントを赤外線信号として出力し、携帯電話機２００において赤外線信号を受信することにより、遊技情報又はサービスポイントを取得する構成としたが、図柄表示制御基板２２のＲＯＭ２４に二次元バーコード生成プログラムを内蔵し、表示装置５において遊技情報等を二次元バーコードとして表示出力する構成としてもよい。本変形例によれば、ＣＣＤカメラ及び二次元バーコード解読機能付きの携帯電話機２００を用いて二次元バーコードを読み取ることにより遊技情報等を取得することが可能である。そして、遊技状態データ又はポイント数が蓄積された結果を一つの二次元バーコードにて表示することにより、複数の情報を一括して取得することができる。また、二次元バーコード生成プログラムが表示装置５の制御を行う図柄表示制御基板２２に設けられているので、図柄表示制御基板２２へコマンド等を送信することにより少ない処理負荷で二次元バーコード表示を行うことができる。図４６は、表示装置５のラウンド表示画面における二次元バーコードの表示例を示している。尚、本変形例において表示装置５が本発明の情報出力手段を、二次元バーコード生成プログラムがバーコード生成手段をそれぞれ構成するものである。また、二次元バーコード生成プログラムを、図柄表示制御基板２２に代えて通信制御基板３０に設ける構成としてもよい。この構成によれば、当該パチンコ機１が廃棄される場合等に通信制御基板３０を含む通信ユニットを取り外して他の遊技機にて再利用することが可能である点で利便性が高い。また、二次元バーコード生成プログラムを、パチンコ機１本体の制御装置２１のメイン基板に設ける構成としてもよい。この構成によれば、二次元バーコード生成プログラムが、パチンコ機１本体にかしめ固定されたメイン基板に設けられているので、確実に不正防止を図ることができる。
【０１４８】
また、上述した変形例では、二次元バーコード生成プログラムが、蓄積された複数の送信情報を一つのバーコードとして生成し、表示装置５において、その生成された一つのバーコードを表示することにより、複数の送信情報を一つのバーコードにより一括して表示し、これにより送信情報を携帯電話機２００にて一括して取得することができる構成としたが、これには限られない。例えば、二次元バーコード生成プログラムが、各送信情報毎にそれぞれバーコードとして生成し、生成された前記各バーコードをＲＡＭ３８（又はＲＡＭ２６）にて蓄積記憶し、蓄積記憶された各バーコードを表示装置５において、順次、読み出して表示するように構成してもよい。本変形例によれば、蓄積記憶された送信情報が表示装置５にて順次表示されるので、各送信情報を携帯電話機２００により順次取得することができる。或いは、送信情報（例えば、変動回数やサービスポイント等）に対応づけて一次元若しくは二次元のバーコードのパターンを予め記憶するバーコード記憶手段（ＲＯＭ）を備え、ＲＡＭ３８に蓄積記憶された各送信情報についてバーコード記憶手段よりバーコードを読み出して表示するように構成してもよい。この変形例によれば、処理負荷の大きいバーコード生成処理を行うことなく、少ない処理負荷で表示装置５におけるバーコード表示を行うことができる。
【０１４９】
また、二次元バーコードに代えて、他の機械読み取り可能なシンボルを採用してもよい。例えば、一次元バーコードとして表示出力してもよく、文字等（英字、カタカナ、ひらがな、漢字、記号、数字等を含む）の並びとして表示してもよい。尚、光学的文字認識機能を有する携帯通信端末等を用いて文字等の並びを認識して、情報取得を行うことが可能である。さらに、遊技盤７に設けられた図柄変動表示装置としての表示装置５とは別に、遊技盤７の他の位置、或いは遊技盤７外部の前枠２又はガラス扉枠３上に、二次元バーコード表示出力用の表示装置を情報出力手段として別途設ける構成としてもよい。例えば、図４７に示すパチンコ機１０３では、前枠２の周縁部において、ガラス扉枠３の角部近傍に設けた開口部を介して二次元バーコード表示装置５ｂ、報知ランプ３１、及び赤外線受光部３４を露出させるように配置している。本変形例によれば、表示装置５における図柄変動表示の表示領域に影響を与えることが無いという利点があると共に、携帯電話機２００による読み取り操作がし易く、且つ他の遊技者による不正な読み取り操作が行われにくい位置に適宜配置が可能であるという利点がある。また、遊技盤７のみが交換された場合に、遊技盤７外部の前枠２に設けられた二次元バーコード表示装置５ｂを再利用することができる。また、パチンコ機に玉貸しに関する機能を有する台間装置が接続され且つ台間装置が表示装置を備えている場合には、台間装置にて二次元バーコード表示を行うように構成してもよい。
【０１５０】
前記各実施の形態では、携帯電話機２００から赤外線信号として送信される開始データを赤外線受光部３４において受信し入力する構成としたがこれには限られない。例えば、赤外線以外の光若しくは電磁波による信号を受信する構成としてもよい。また、携帯通信端末から有線通信による信号を受信可能としてもよい。あるいは、バーコード読み取り可能なスキャナを備え、携帯電話機２００の表示部に表示された開始情報の内容を表す一次元若しくは二次元のバーコードを読み取ることにより開始情報の入力を行うようにしてもよい。また、文字認識可能なスキャナを備え、携帯電話機２００の表示部に表示された開始情報の内容を表す文字等の並びを読み取ることにより、開始情報の入力を行うようにしてもよい。尚、文字等には、英字、カタカナ、ひらがな、漢字、記号、数字等が含まれる。また、遊技機に対応づけられた外部装置（例えば、遊技媒体の貸し出しに関する機能を有する台間装置や台間情報端末等）からの出力情報を入力するためのインタフェース回路（インタフェース手段）を備え、カードリーダ付きの台間装置において会員カードとしてのＩＣカードから読み取った開始情報を、インタフェース回路を介して入力するように構成してもよい。
【０１５１】
前記各実施の形態では、遊技者の操作によって携帯電話機２００から赤外線信号として送信される遊技者特定パスワードを入力させる構成としたが、携帯電話機２００に設けられた端子を介して携帯電話機２００内のメモリの記憶内容を読み出し可能な装置を設ける構成としてもよい。また、遊技者の操作により情報の入力が可能な入力手段、例えば、パチンコ機の枠等に設けたキーボード、タッチパネル等の入力装置を介して遊技者特定パスワードを入力する構成としてもよい。また、玉貸しに関する機能を有する台間装置より出力される情報を入力させるためのインタフェース基板（インタフェース手段）を介して遊技者特定パスワードを入力させる構成としてもよい。この場合、例えば、台間装置にタッチパネル等の入力装置又は赤外線受信装置等を設け、これらの装置によって入力された遊技者特定パスワードが、インタフェース基板を介して入力される構成としてもよい。或いは、台間装置によって磁気カード又はＩＣカードから遊技者特定パスワードを読み取り、インタフェース基板を介して入力させる構成としてもよい。
前記各実施の形態では、第１赤外線センサ３２ａ又は第２赤外線センサ３２ｂに手をかざすことにより遊技者特定状況の確認結果を入力する構成としたがこれには限られない。例えば、押しボタン、タッチパネル、遊技者の身体部位のいずれかの動作を検出するセンサ、携帯電話機２００から送信される情報の受信装置、又は音声認識装置のいずれかによって構成された確認入力手段を介して、遊技者特定状況の確認結果を入力するように構成してもよい。
【０１５２】
前記第一の実施の形態では、遊技進行データとして図柄変動の累積発生回数である変動回数ＨＣを用いたが、例えば、大当り遊技の累積発生回数（以下、大当り回数と称する）を遊技進行データとして用いる構成としてもよい。また、この場合、表示装置５において大当り回数に応じた演出を行うように構成してもよい。図２５の縦軸におけるカッコ内に示す回数は、遊技進行データとして大当り回数を用いた場合におけるストーリー展開との対応を表している。また、携帯電話機２００より開始情報と共に機種識別情報としての機種ＩＤを送信したが、機種ＩＤに代えて遊技ホールに設置された個々のパチンコ機を識別可能な各パチンコ機のＩＤ情報を送信し、同一のパチンコ機においてのみ連続性を有する遊技を実行可能としてもよい。
【０１５３】
前記各実施の形態では、遊技者が特定されていることを携帯電話機２００による遊技者特定パスワードの送信によって遊技者が特定された時、又は遊技者が特定されないまま大当り遊技状態が終了した時に、表示装置５において報知する構成としたが、これら以外のタイミングで報知を行うように構成してもよい。例えば、遊技開始直後に報知を行うようにしてもよい。これにより、遊技者は、遊技開始後、直ぐに遊技者が特定されていることを知ることができる。尚、遊技が開始されたことの検出は、出力端子１６ｄにおける発射スイッチ信号がオフからオンになったことを検出することにより行うことができる。
また、特定の遊技状態の発生が検出された時に遊技者特定の報知を行う構成としてもよい。これにより、遊技者は、大当り遊技状態等の特定の遊技状態の発生によって遊技状態データの受信が可能となった時点で、遊技者が特定されていることを確実に知ることができる。また、前記実施の形態では、大当り遊技状態の終了時に遊技者が未特定である場合に、遊技者が未特定であることを報知する構成としたが、大当り遊技状態等の特定の遊技状態の発生検出時に報知し、遊技者特定タイムを形成するように構成してもよい。また、所定時間間隔で遊技者特定の報知を行う構成としてもよい。これにより、所定時間間隔で繰り返し表示されるメッセージによって、遊技者は、遊技者が特定された状態であることを常に確認することができる。
【０１５４】
また、前記各実施の形態では、遊技者が特定されていること、遊技者特定タイム中であること、遊技情報の送信が可能な状態となったこと、遊技者が未特定であること、及び蓄積情報が消去されたことを表示装置５によるメッセージ表示により報知する構成としたが、図柄表示によって報知してもよい。また、発光装置を用いて光の点灯や点滅等によって報知を行うようにしてもよい。尚、発光装置としては、電球や発光ダイオード等種々の方式で発光するものを用いることができる。或いは、音声発生装置を用いて音声によるメッセージによって、報知を行うようにしてもよい。さらに、各報知内容を表す情報を携帯電話機２００へ送信することにより報知を行うように構成してもよい。例えば、遊技者が特定されたこと等の内容を表す情報を、電子メールとして送信する構成としてもよく、或いは赤外線信号として送信する構成としてもよい。これによれば、遊技者は、自己の携帯通信端末において遊技者が特定されたこと等を知ることができる。
【０１５５】
前記各実施の形態では、通信制御基板３０が、外部接続端子板１６に設けられた各出力端子１６ａ〜ｅを介して大当り信号等の遊技状態を表す信号を取得する構成としたが、制御装置２１との間で別途専用の通信線を設けて大当り信号等を取得する構成としてもよい。尚、本変形例における通信線は、制御装置２１を構成するメイン基板からの出力専用の通信線若しくは、サブ基板との間に設けられる通信線とし、メイン基板へ不正な信号が入力されることを防止する構造とする。
【０１５６】
前記各実施の形態では、赤外線発光部３３、赤外線受光部３４及び報知ランプ３１を遊技盤７上に設ける構成としたが、これには限られず、パチンコ機１に備わる他の機能に支障を来さない範囲内でパチンコ機１のいかなる部位に配設してもよい。例えば、前枠２の左下に設ける構成としてもよく、前枠２上の他の部位若しくは他の枠内に設けてもよい。尚、椅子に着座して遊技を行う遊技者の背後から不正に遊技情報が受信されることを防止するために、パチンコ機１前面において、着座した遊技者の上半身に対向する領域に赤外線発光部３３及び受光部３４を設けることが望ましく、より好ましくはパチンコ機１の左右方向中央部付近である。また、前枠２上に赤外線発光部３３、赤外線受光部３４及び報知ランプ３１を設ける場合には、より確実に不正受信を防止するために、赤外線発光部３３及び受光部３４の前面より手前（遊技者側）に所定間隔を離隔させて平行に樹脂等からなる板状部材を突出させる構造を設けてもよい。そして、携帯電話機２００を赤外線発光部３３及び受光部３４と板状部材との間に挿入して遊技情報の受信を行う。このような構成によれば、赤外線発光部３３から発せられる赤外線信号が板状部材によって遮断されるため、当該遊技者以外の者により不正に遊技情報が受信されることが確実に防止される。
【０１５７】
前記各実施の形態では、通信制御基板３０をパチンコ機１に内蔵させる構成としたが、通信制御基板３０、報知ランプ３１、赤外線発光部３３、及び赤外線受光部３４を内蔵する通信ユニットをパチンコ機１とは別体で設け、遊技島に設置されているパチンコ機１の下部位置に突設形成された膳板上に設置してもよい。或いは、パチンコ機１に隣接して設置される玉貸しに関する機能を備えた台間装置に通信ユニットを内蔵させる構成としてもよい。尚、前記実施の形態では、通信制御基板３０が、外部接続端子板１６を介して制御装置２１と接続される構成であるため、通信ユニットを容易に別体化することが可能である。また、状態検出手段、情報作成手段及び情報送信手段の内、いずれか一つ又は二つをパチンコ機１本体に設け、残りを玉貸しに関する機能を有する台間装置に内蔵させる構成としてもよい。パチンコ機１本体と台間装置とで機能を分担することにより、設計上或いは使用上に最適な構成とすることができる。例えば、状態検出手段をパチンコ機１本体に設け、情報作成手段及び情報送信手段を台間装置に内蔵させてもよい。この構成によれば、状態検出手段がパチンコ機１本体に設けられているので、必要な状態検出を簡単な構成で行うことができると共に、情報作成手段及び情報送信手段が台間装置に内蔵されているので、パチンコ機１本体を従来仕様より大きく変更する必要がない。或いは、状態検出手段及び情報作成手段をパチンコ機１本体に設け、情報送信手段を台間装置に内蔵させてもよい。この構成によれば、電子回路等によって実現される状態検出手段及び情報作成手段が、パチンコ機１本体（例えば、パチンコ機１本体裏側の基板取付け部）に設けられる。また、情報送信手段が台間装置に内蔵されているので、台間装置において情報送信手段の取付けスペースを十分に確保しつつ遊技者に対向するように設けることができ、更に、パチンコ機１本体の前面部については従来仕様より変更する必要がない。
【０１５８】
前記各実施の形態では、携帯電話機２００との間で赤外線を媒介として無線通信を行う構成としたが、これには限られず、例えば、電波を媒介とする近距離通信技術として知られるブルートゥース通信が可能な携帯通信端末との間でブルートゥースによる無線通信を行う構成としてもよい。
より具体的には、図４８に示すように、上述した実施形態における赤外線発光部３３及び赤外線受光部３４に代えて、例えば、本変形例のパチンコ機１０４若しくはパチンコ機１０４に隣接して設置される玉貸しに関する機能を有するカードユニット内に、２．４７ＧＨｚ帯の約１ｍＷ以下である微弱電波のやり取りを可能とするブルートゥースモジュール５０１を設けると共に、略垂直方向に指向性を有するアンテナモジュール５０２をパチンコ機１０４と対応する遊技者用椅子５０との間の床上、遊技者用椅子５０の内部、又は遊技島に設置されているパチンコ機１０４の下部位置に突設形成された膳板上に設ける。また、ブルートゥースモジュール５０１とアンテナモジュール５０２とは、伝送線５０３によって電気的に接続されている。尚、図４８では、遊技者用椅子５０の内部にアンテナモジュール５０２を設けた例を示しており、（ａ）は携帯電話機２００がアンテナモジュール５０２に通信圏内にある場合、（ｂ）は通信圏外にある場合をそれぞれ示している。
【０１５９】
そして、本変形例における動作について説明すると、まず、ブルートゥース通信が可能な携帯通信端末としての携帯電話機２００を所持する遊技者が、遊技者用椅子５０に着座してアンテナモジュール５０２の通信圏内に携帯電話機２００が入圏した際には（図４８（ａ）参照）、パチンコ機１０４若しくはカードユニットは、ブルートゥースＩＤの送受等のブルートゥース規格に伴う通常の認証手続きを前記入圏した携帯電話機２００との間において実施するとともに、その携帯電話機２００の電話番号をブルートゥースユニットを介して非接触にて受信、入手する。その入手した携帯電話機２００の電話番号データは、通信対象の情報端末として登録されるとともに、ホール管理コンピュータに送信される。この際、何らかの理由により、近接する複数のパチンコ機若しくはカードユニットにて同一の電話番号データが誤って入手された場合には、既に登録済みとなっている電話番号と重複が生じていないかを確認し、重複が生じている場合は電話番号の再送信を要求して通信対象の登録をやり直す。このようにして通信対象登録された携帯電話機２００に対して、２．４７ＧＨｚ帯の微弱電波により遊技情報の送信が行われる。
【０１６０】
本変形例によれば、遊技者は、携帯電話機２００を衣服のポケット等に入れたまま、或いは膳板上に設けられたフォルダに載置した状態で遊技情報を受信することができる。従って、特定の遊技状態の発生を検出する度に遊技情報を送信し、携帯電話機２００において遊技情報を受信するように構成することが可能である。また、アンテナモジュール５０２から上面方向に垂直に電波が放射され、アンテナ上面の所定角度範囲内に電波放射が集中してなされ、その所定角度範囲外には電波放射が殆どなされないようになっているため、隣接するアンテナモジュール同士の電波干渉が生じることが防止される。
【０１６１】
また、本変形例においては、遊技者がパチンコ機１０４から離れることに伴って、携帯電話機２００がアンテナモジュール５０２の通信圏内から通信圏外へ移動したことをブルートゥースモジュール５０１が検出することに基づいて、当該遊技者の遊技終了を検出するように構成してもよい（図４８（ｂ）参照）。さらに、ブルートゥースモジュール５０１からホール管理コンピュータへ遊技終了を通知し、ホール管理コンピュータから携帯電話機２００へ、パチンコ機１０４に残存している情報の消去を行ってよいか否かを確認するための電子メールを送信するように構成してもよい。
【０１６２】
尚、本変形例においては、ホール管理コンピュータに送信された電話番号データに基づいて遊技者が特定される（例えば、登録済みの会員であることが特定される）ことを条件に遊技情報を出力するようにしてもよい。また、パチンコ機１０４若しくはカードユニットが、特定された遊技者の氏名情報を携帯通信端末から受信して、パチンコ機１の制御装置２１のサブ基板の一つである図柄表示制御基板２２へ入力することにより、表示装置５の画面５ａに遊技者の氏名入りのメッセージを、例えば、「田中様、いらっしゃいませ！」のように表示するように構成してもよい。
【０１６３】
前記各実施の形態では、携帯電話機２００との間で無線通信により遊技情報を伝送する構成としたが、これには限られず、有線通信により携帯電話機２００へ遊技情報を送信するように構成してもよい。例えば、パチンコ機１に接続端子を備えた携帯電話ホルダを設け、その携帯電話ホルダに携帯電話機２００を載置することにより、携帯電話ホルダの接続端子と携帯電話機２００の接続端子とが接続されて有線通信を行うことが可能となる構成としてもよい。
【０１６４】
前記各実施の形態では、携帯通信端末として携帯電話機２００を用いた例を示したが、携帯電話機以外にＰＨＳ（簡易型携帯電話、Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等の各種の携帯通信端末等を利用することが可能である。
前記第一の実施の形態では、通信制御基板３０から遊技情報のみを携帯電話機２００に対して送信する構成としたが、通信制御基板３０内で特定の遊技状態の発生毎に抽選を行って、当選した場合には付加価値情報を付与して遊技情報と共に送信するように構成してもよい。
前記各実施の形態では、パチンコ機１に報知ランプ３１を設ける構成としたが、報知ランプ３１を省略して、表示装置５の画面５ａのメッセージ表示のみにより、送信可能な遊技情報があることを報知する構成としてもよい。
【０１６５】
前記各実施の形態では、赤外線受光部３４を常に赤外線信号の受信待機状態とする構成としたが、携帯電話機２００の通信ユニット３０への接近を検知するセンサ手段を設け、そのセンサ手段が携帯電話機２００の接近を検出したときに、受信待機状態となるように構成してもよい。尚、センサ手段としては、種々の方式による公知の接近物検知用センサ（例えば、赤外線センサ等）を採用することが可能である。
前記各実施の形態では、高確率モード中に通常大当りが２回連続して発生したことに起因して低確率モードへ遷移する構成としたが、通常大当たりが１回発生したことに起因して低確率モードへ遷移する構成としてもよい。
【０１６６】
前記各実施の形態では、大当り遊技終了時に遊技者特定の有無で異なるメッセージ表示を行う構成としたが、大当り発生時における演出内容として、「遊技者特定有りの演出」、「遊技者特定無しの演出」、「途中で遊技者が特定されたときの演出」を用意し、それぞれの場合に異なる演出を行う構成としてもよい。例えば、遊技者が特定されないまま大当りが発生したときには、表示装置にて遊技者特定を促す演出を行うようにしてもよい。
【０１６７】
本発明は、前記各実施の形態とは異なる種々の遊技機にも適用可能である。例えば、本発明に適用される遊技機は、パチンコ遊技機であって、基本構成としては発射ハンドルを備え、その発射ハンドルの操作に応じて球を所定の遊技領域へ発射し、球が遊技領域内の所定の位置に配設された作動口に入賞（又は作動ゲートを通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１６８】
また、本発明に適用される他の遊技機は、スロットマシンであって、基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。図４９は、本発明をスロットマシンに適用した一実施の形態であるスロットマシン３０１の外観を示す正面図である。図４９に示されるように、スロットマシン３０１には、可変表示手段３０５下方の左側に赤外線発光部３３３及び赤外線受光部３３４と、第１赤外線センサ３３２ａとが、右側に報知ランプ３３１と、第２赤外線センサ３３２ｂとがそれぞれ設けられている。
【０１６９】
また、本発明に適用されるさらに別の遊技機は、パチンコ機とスロットマシンとを融合させた遊技機であって、基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。図５０は、本発明をパチンコ機とスロットマシンとを融合させた遊技機に適用した一実施の形態である遊技機４０１の外観を示す正面図である。図５０に示されるように、遊技機４０１には、可変表示手段４０５下方の左側に赤外線発光部４３３及び赤外線受光部４３４と、第１赤外線センサ４３２ａとが、右側に報知ランプ４３１と、第２赤外線センサ４３２ｂとがそれぞれ設けられている。
【０１７０】
【発明の効果】
以上詳述したように、本発明によれば、遊技者に提供するための情報を出力可能な遊技機であって、開始情報入力手段が、遊技開始時に外部から開始情報を入力させ、累積加算手段が、遊技状況に応じて前記開始情報に所定の情報を累積加算し、情報出力手段が、その累積加算手段による累積加算結果に基づいて情報出力するので、遊技者は、複数回に亘る遊技の結果を反映する出力情報を、携帯通信端末等を用いて取得することができる。
【図面の簡単な説明】
【図１】本発明の第一の実施の形態におけるパチンコ機の正面図である。
【図２】パチンコ機の遊技盤の概略構成図である。
【図３】通信制御基板のハードウェア構成を示すブロック図である。
【図４】携帯電話機の正面図である。
【図５】携帯電話機のハードウェア構成を示すブロック図である。
【図６】特別電動役物制御ルーチンを説明するフローチャートである。
【図７】特別電動役物制御ルーチンの図６の続き部分を説明するフローチャートである。
【図８】図柄変動開始処理ルーチンを説明するフローチャートである。
【図９】リーチ演出表示処理ルーチンを説明するフローチャートである。
【図１０】（ａ）は遊技者未特定の場合におけるリーチ演出表示の一例を、（ｂ）は遊技者が特定されている場合におけるリーチ演出表示の一例を示す図である。
【図１１】大当り演出表示処理ルーチンを説明するフローチャートである。
【図１２】（ａ）は遊技者未特定の場合における大当り演出表示の一例を、（ｂ）は遊技者が特定されている場合における大当り演出表示の一例を示す図である。
【図１３】（ａ）はラウンド演出画面表示処理ルーチンを、（ｂ）はカウンタ値・メッセージ表示処理ルーチンをそれぞれ説明するフローチャートである。
【図１４】（ａ）は遊技者未特定の場合における第１ラウンド演出表示の一例を、（ｂ）は遊技者が特定されている場合における第１ラウンド演出表示の一例を示す図である。
【図１５】（ａ）は遊技者未特定の場合における第３ラウンド演出表示の一例を、（ｂ）は遊技者が特定されている場合における第３ラウンド演出表示の一例を示す図である。
【図１６】確率変動処理ルーチンを説明するフローチャートである。
【図１７】遊技者確認処理ルーチン（第一の実施の形態）を説明するフローチャートである。
【図１８】変動回数記憶処理ルーチン（第一の実施の形態）を説明するフローチャートである。
【図１９】変動回数の推移を示すグラフである。
【図２０】情報通信処理メインルーチン（第一の実施の形態）を説明するフローチャートである。
【図２１】図２０に示す情報通信処理メインルーチン（第一の実施の形態）の続きを説明するフローチャートである。
【図２２】遊技情報作成・送信処理ルーチン（第一の実施の形態）を説明するフローチャートである。
【図２３】携帯電話機におけるメッセージ表示例を示す図であり、（ａ）は機種選択＆開始データ送信画面の表示例を、（ｂ）は遊技情報受信中に、（ｃ）は遊技情報の受信終了時におけるメッセージの表示例をそれぞれ示している（第一の実施の形態）。
【図２４】遊技盤の表示装置におけるメッセージ表示例を示す図であり、（ａ）機種ＩＤが一致しないことを報知する場合に、（ｂ）は遊技者の特定及び遊技開始を報知する場合に、（ｃ）はパスワードが一致しないことを報知する場合に、（ｄ）は蓄積情報が消去された旨を報知する場合に、（ｅ）は情報の消去を確認する場合に、（ｆ）は送信要求を促す場合におけるメッセージの表示例をそれぞれ示している（第一の実施の形態）。
【図２５】変動回数（大当り回数）とストーリー展開との関係を示すグラフである。
【図２６】（ａ）は送信バッファのフォーマット（遊技情報のデータ構造）を、（ｂ）は送信バッファの格納例を示す図である（第一の実施の形態）。
【図２７】遊技終了処理ルーチン（第一の実施の形態）を説明するフローチャートである。
【図２８】携帯電話機によって受信された遊技情報の記憶例を示す図である（第一の実施の形態）。
【図２９】（ａ）は第一の実施の形態の第一の変形例における送信バッファのフォーマット（遊技情報のデータ構造）を、（ｂ）は送信バッファの格納例を示す図である。
【図３０】第一の実施の形態の第一の変形例において携帯電話機によって受信された遊技情報の記憶例を示す図である。
【図３１】第一の実施の形態の第二の変形例におけるパチンコ機及び遊技者用椅子の側断面図である。
【図３２】第二の実施の形態におけるパチンコ機の正面図である。
【図３３】第二の実施の形態における通信制御基板のハードウェア構成を示すブロック図である。
【図３４】ポイント累積処理ルーチン（第二の実施の形態）を説明するフローチャートである。
【図３５】累積ポイント数ＲＰの推移を示すグラフである。
【図３６】情報通信処理メインルーチン（第二の実施の形態）を説明するフローチャートである。
【図３７】図３６に示す情報通信処理メインルーチン（第二の実施の形態）の続きを説明するフローチャートである。
【図３８】携帯電話機におけるメッセージ表示例を示す図であり、機種選択及び開始データ送信画面の表示例を示している（第二の実施の形態）。
【図３９】遊技盤の表示装置におけるメッセージ表示例を示す図であり、（ａ）機種ＩＤが一致しないことを報知する場合に、（ｂ）は遊技者の特定及び遊技開始を報知する場合に、（ｃ）はパスワードが一致しないことを報知する場合に、（ｄ）は累積ポイント数データの消去を確認する場合におけるメッセージの表示例をそれぞれ示している（第二の実施の形態）。
【図４０】累積ポイント数とストーリー展開との関係を示すグラフである（第二の実施の形態）。
【図４１】サービスポイント作成・送信処理ルーチン（第二の実施の形態）を説明するフローチャートである。
【図４２】（ａ）は送信バッファのフォーマット（サービスポイントのデータ構造）を、（ｂ）は送信バッファの格納例を示す図である（第二の実施の形態）。
【図４３】遊技終了処理ルーチン（第二の実施の形態）を説明するフローチャートである。
【図４４】携帯電話機によって受信されたサービスポイントの記憶例を示す図である（第二の実施の形態）。
【図４５】表示装置にて蓄積内容を表示するようにした変形例を説明する図であり、（ａ）は第一の実施形態、（ｂ）は第二の実施の形態における表示例を示している。
【図４６】第１ラウンド演出画面における二次元バーコードの表示の一例を示す図である。
【図４７】遊技盤外部の前枠に二次元バーコード表示用の表示装置を設けた変形例を示す正面図である。
【図４８】ブルートゥースを採用した変形例におけるパチンコ機の側面図であり、（ａ）は携帯電話機がアンテナモジュールの通信圏内にある場合を、（ｂ）は通信圏外にある場合をそれぞれ示している。
【図４９】本発明をスロットマシンに適用した一実施の形態を示す正面図である。
【図５０】本発明をパチンコ機とスロットマシンとを融合させた遊技機に適用した一実施の形態を示す正面図である。
【符号の説明】
１，１０１，１０２，１０３，１０４…パチンコ機（遊技機）、３０１…スロットマシン（遊技機）、４０１…パチンコ機とスロットマシンとを融合させた遊技機（遊技機）、５…表示装置（情報出力手段）、５ｂ…二次元バーコード表示装置（情報出力手段）、１６…外部接続端子板、１６ａ〜ｅ…出力端子、３０…通信制御基板、３３，３３３，４３３…赤外線発光部（情報出力手段）、３４，３３４，４３４…赤外線受光部（開始情報入力手段、出力要求入力手段、遊技者特定情報入力手段）、５０１…ブルートゥースモジュール（情報出力手段）、３８ｅ…遊技進行データ記憶領域（出力情報記憶手段）、３８ｈ…累積ポイント記憶領域（出力情報記憶手段）、２００…携帯電話機（携帯通信端末）、３６…ＣＰＵ（開始情報入力手段、累積加算手段、情報出力手段）。
【図１】
2004275617.tif 000003
【図２】
2004275617.tif 000004
【図３】
2004275617.tif 000005
【図４】
2004275617.tif 000006
【図５】
2004275617.tif 000007
【図６】
2004275617.tif 000008
【図７】
2004275617.tif 000009
【図８】
2004275617.tif 000010
【図９】
2004275617.tif 000011
【図１０】
2004275617.tif 000012
【図１１】
2004275617.tif 000013
【図１２】
2004275617.tif 000014
【図１３】
2004275617.tif 000015
【図１４】
2004275617.tif 000016
【図１５】
2004275617.tif 000017
【図１６】
2004275617.tif 000018
【図１７】
2004275617.tif 000019
【図１８】
2004275617.tif 000020
【図１９】
2004275617.tif 000021
【図２０】
2004275617.tif 000022
【図２１】
2004275617.tif 000023
【図２２】
2004275617.tif 000024
【図２３】
2004275617.tif 000025
【図２４】
2004275617.tif 000026
【図２５】
2004275617.tif 000027
【図２６】
2004275617.tif 000028
【図２７】
2004275617.tif 000029
【図２８】
2004275617.tif 000030
【図２９】
2004275617.tif 000031
【図３０】
2004275617.tif 000032
【図３１】
2004275617.tif 000033
【図３２】
2004275617.tif 000034
【図３３】
2004275617.tif 000035
【図３４】
2004275617.tif 000036
【図３５】
2004275617.tif 000037
【図３６】
2004275617.tif 000038
【図３７】
2004275617.tif 000039
【図３８】
2004275617.tif 000040
【図３９】
2004275617.tif 000041
【図４０】
2004275617.tif 000042
【図４１】
2004275617.tif 000043
【図４２】
2004275617.tif 000044
【図４３】
2004275617.tif 000045
【図４４】
2004275617.tif 000046
【図４５】
2004275617.tif 000047
【図４６】
2004275617.tif 000048
【図４７】
2004275617.tif 000049
【図４８】
2004275617.tif 000050
【図４９】
2004275617.tif 000051
【図５０】
2004275617.tif 000052